(57)【要約】【課題】医用カンファレンスにて参照した医療情報、それに基づく議論の状況を把握可能にし、再利用に寄与できる医用情報処理システムを提供する。【解決手段】実施形態の医用情報処理システムは、記憶手段と、表示手段と、参照位置収集手段と、算出手段と、出力手段とを備える。記憶手段は、医用画像を予め記憶している。表示手段は、医用画像を表示する。参照位置収集手段は、医用画像における少なくとも１人の参照者の参照点の位置を収集する。算出手段は、参照位置収集手段で収集された前記参照点の位置に基づいて、複数の前記参照者の前記参照位置を統合した注目位置情報を求める。出力手段は、注目位置情報を出力する。【選択図】図３
2015118448.tif 000002
【特許請求の範囲】
【請求項１】
医用画像を予め記憶している記憶手段と、
前記医用画像を表示する表示手段と、
前記医用画像における複数の参照者の参照位置を収集する参照位置収集手段と、
前記参照位置収集手段で収集された前記参照位置に基づいて、前記複数の参照者の参照位置を統合した注目位置情報を求める算出手段と、
前記注目位置情報を出力する出力手段と、
を備える医用情報処理システム。
【請求項２】
前記記憶手段は、前記医用画像に対応する関心領域を予め記憶しており、
前記算出手段は、前記関心領域の位置情報に基づいて、前記注目位置情報を求めるものであることを特徴とする請求項１に記載の医用情報処理システム。
【請求項３】
前記参照位置収集手段は、前記参照位置を、前記記憶手段に記憶させる、
ことを特徴とする請求項１又は請求項２に記載の医用情報処理システム。
【請求項４】
前記出力手段は、前記医用画像と、注目位置情報とを関連付けして出力する関連付け手段を備える、
ことを特徴とする請求項１〜請求項３のいずれか１項に記載の医用情報処理システム。
【請求項５】
前記記憶手段は、前記医用画像の特定の位置に対応する医療情報を予め記憶しており、
前記医療情報を前記記憶手段から収集する医療情報収集手段をさらに有し、
前記算出手段は、前記参照位置収集手段で収集された前記参照位置に基づいて、前記医用画像上の各位置における注目度の分布を示す注目度分布を算出し、
前記関連付け手段は、前記医用画像の特定の位置での前記医療情報を前記記憶手段から取得して、前記医療情報と前記注目度分布とを関連付けして出力する、
ことを特徴とする請求項４に記載の医用情報処理システム。
【請求項６】
前記算出手段は、前記収集された複数の前記参照位置に基いて、前記参照位置が密集する度合いを示す密集分布を算出し、前記密集分布の密集度に基づいて前記注目度分布を算出する、
ことを特徴とする請求項５に記載の医用情報処理システム。
【請求項７】
前記関連付け手段は、前記医用画像上の前記注目位置情報に基づく位置にアノテーションを付与するアノテーション付与手段を備える、
ことを特徴とする請求項４〜請求項６のいずれか１項に記載の医用情報処理システム。
【請求項８】
前記参照者の属性情報を取得する属性情報取得手段を備え、
前記関連付け手段は、前記属性情報と、前記注目度分布とを関連付けして出力する、
ことを特徴とする請求項５〜請求項７のいずれか１項に記載の医用情報処理システム。
【請求項９】
ネットワークを介して接続された複数の端末を備え、
前記複数の端末には、前記表示手段がそれぞれ備えられており、
前記参照位置収集手段は、該表示手段に表示された前記医用画像における少なくとも１人の参照者の参照位置を、前記ネットワークを介して収集する、
ことを特徴とする請求項１〜請求項８のいずれか１項に記載の医用情報処理システム。
【請求項１０】
画像を予め記憶している記憶手段と、
前記画像を表示する表示手段と、
前記画像における複数の参照者の参照位置を収集する参照位置収集手段と、
前記参照位置収集手段で収集された前記参照位置に基づいて、前記複数の参照者の参照位置を統合した注目位置情報を求める算出手段と、
前記注目位置情報を出力する出力手段と、
を備える情報処理システム。
【発明の詳細な説明】
【技術分野】
【０００１】
この発明の実施形態は、医用情報処理システム及び情報処理システムに関する。
【背景技術】
【０００２】
放射線科の存在価値を高め、診断に新たな価値を提供すべきだという議論がある。また一方で、国内外においてチーム医療への関心が高まっている。このチーム医療の一形態として、例えば、ＭＤＴ（Ｍｕｌｔｉｄｉｓｃｉｐｌｉｎａｒｙ  ｔｅａｍ）によるものが挙げられる。ＭＤＴとは医師、コメディカル（看護師、技師、薬剤師等）等で結成される多属性の医療チームのことをいう。
【０００３】
ＭＤＴによる医療は、例えば、１人の患者に対して複数の医療専門家による多角的な情報発信に基づき治療方針等が決定される。この情報発信は、例えば、放射線科医であれば、画像診断レポートによる情報発信と、医用カンファレンス（単に「カンファレンス（ｃｏｎｆｅｒｅｎｃｅ）」と称することがある。）へ参加しての情報発信とがある。
【０００４】
医用カンファレンスとは、複数の医師等が集まって治療や手術の方針等について検討を行う会合のことである。医用カンファレンスは、患者の入院時や手術の前後などに実施される。医用カンファレンスの参加者は、一般的には、例えば、発表者、司会等の、議題対象の傍にいる会議中心者と、そこから離れた場所に位置して主に傍聴をする一般参加者とに分けられる。この医用カンファレンスを円滑に行うために、様々な医用カンファレンスシステムが研究、開発されている。この医用カンファレンスシステムとしては、例えば、医療機関内のカンファレンス室におけるカンファレンスを実施するために適用されるもの、広域ネットワークを介してカンファレンスを実施するために適用されるもの等が挙げられる。
【先行技術文献】
【特許文献】
【０００５】
【特許文献１】特開２００５−４０２２３号公報
【発明の概要】
【発明が解決しようとする課題】
【０００６】
ＭＤＴミーティングでは、例えば、様々な医療専門職が患者の事前に撮った画像を見ながら議論を重ね、治療方針を検討する。
【０００７】
従来、ＭＤＴミーティングにおいて参照された医療情報等や、それに基づく議論の内容は、一部のみが保存されていた。つまり、データベース等に保存される議事録は、ミーティング中の最終結論が列挙されていた。このため、この議事録には、ミーティング中の議論の内容などは含まれていなかった。
【０００８】
そのため、議事録に含まれる情報からは、ＭＤＴミーティング中の議論における反省、指摘等を次の検査・読影に反映することが困難であった。また、過去の有用な知見の活用も容易ではなかった。
【０００９】
この実施形態は、以上のような事情に鑑みてなされたもので、医用カンファレンスにて参照した医療情報、それに基づく議論の状況を把握可能にし、再利用に寄与できる医用情報処理システムを提供することを目的とする。
【課題を解決するための手段】
【００１０】
上記目的を達成するために、実施形態の医用情報処理システムは、記憶手段と、表示手段と、参照位置収集手段と、算出手段と、出力手段とを備える。記憶手段は、医用画像を予め記憶している。表示手段は、医用画像を表示する。参照位置収集手段は、医用画像における複数の参照者の参照位置を収集する。算出手段は、参照位置収集手段で収集された参照位置に基づいて、複数の参照者の参照位置を統合した注目位置情報を求める。出力手段は、前記注目位置情報を出力する。
【図面の簡単な説明】
【００１１】
【図１】第１実施形態に係る医用情報処理システムの全体構成を示した図である。
【図２】第１実施形態に係る医用情報処理システムのハードウェア構成を示したブロック図である。
【図３】第１実施形態に係る医用情報処理システムの機能的構成を示したブロック図である。
【図４】参照点の追跡結果から注目度分布を算出する一例を示した略線図である。
【図５】第１実施形態の医用情報処理システムの使用形態の一例を示したフローチャートである。
【図６】第１実施形態の医用情報処理システムの使用形態の他の一例を示したフローチャートである。
【図７】医用カンファレンス開催中においてディスプレイに表示される画像の一例を示した図である。
【図８】表示画像に対する参照点の一例を示した図である。
【図９】表示画像に対する参照点の軌跡の一例を示した図である。
【図１０】表示画像に重畳して注目度マップを表示した一例を示した図である。
【図１１】表示画像上において治療が行われた部位を表示する一例を示した図である。
【図１２】表示画像上の診断・治療に関連の強い部位にアノテーションを付加する一例を示した図である。
【図１３】注目度マップと、診断・治療部位特定情報とを関連付ける様子を示した図である。
【図１４】表示画像に付与されたアノテーションに関連情報が関連付けられている一例を示した図である。
【図１５】表示画像における複数の注目位置のそれぞれには、異なる態様のアノテーションが付与されている一例を示した図である。
【図１６】注目位置にアノテーションと関連情報とが関連付けられた医用画像を用いて作成されたドキュメントを示した図である。
【図１７】第２実施形態に係る医用情報処理システムの全体構成を示した図である。
【図１８】第２実施形態に係る医用情報処理システムのハードウェア構成を示したブロック図である。
【図１９】第２実施形態に係る医用情報処理システムの機能的構成を示したブロック図である。
【図２０】第２実施形態の医用情報処理システムの使用形態の一例を示したフローチャートである。
【図２１】医用カンファレンス開催中における、主クライアントと副クライアントとを示した図である。
【図２２】主クライアントにおける表示画像に対する複数の追跡者による参照点の追跡結果の軌跡の一例を対応する表示画像に重ねて示した図である。
【図２３】主クライアントにおける表示画像に対する複数の追跡者による参照点の追跡結果の軌跡の一例を対応する表示画像に重ねて示した図である。
【図２４】主クライアントにおける表示画像に対する複数の追跡者による参照点の追跡結果の軌跡の一例を対応する表示画像に重ねて示した図である。
【図２５】副クライアントによる外部情報の履歴である外部情報の参照履歴の構成の一例を示した表である。
【図２６】医師・職員情報の構成の一例を示した表である。
【図２７Ａ】参照者の職種が病理医である場合における参照点の追跡結果の軌跡の一例を対応する表示画像に重ねて示した図である。
【図２７Ｂ】参照者の職種が病理医である場合における注目度マップを示した図である。
【図２８Ａ】参照者の職種が放射線科医である場合における参照点の追跡結果の軌跡の一例を対応する表示画像に重ねて示した図である。
【図２８Ｂ】参照者の職種が病理医である場合における注目度マップを示した図である。
【図２９】注目位置にアノテーションと関連情報とが関連付けられた医用画像を示した図である。
【図３０Ａ】注目位置にアノテーションと関連情報とが関連付けられた医用画像を用いて作成されたドキュメントを示した図である。
【図３０Ｂ】注目位置にアノテーションと関連情報とが関連付けられた医用画像を用いて作成されたドキュメントを示した図である。
【発明を実施するための形態】
【００１２】
＜第１実施形態＞
［医用情報処理システム］
第１実施形態に係る医用情報処理システム１について図面を参照しながら説明する。この医用情報処理システム１は、表示手段に表示された医用画像において、医用カンファレンス等の会合において、医用画像上の注目された位置を特定する。さらに、この注目位置に対応する医用画像上の位置にアノテーション等の目印を付与する。目印が付与された医用画像は、必要に応じて保管される。
【００１３】
医用画像上において、参照者に参照された位置を、医用画像上における参照点の位置という。参照者は、該医用画像を参照する人である。また、医用画像上における参照点の位置を単に参照位置という場合がある。参照位置は、参照点の位置のみならず、参照領域の位置であってもよい。参照領域の位置は、例えば、参照領域全体の位置であってもよいし、参照領域の中心、重心等の点の位置で規定されてもよい。
【００１４】
参照位置の特定は、例えば、医用画像における少なくとも１人の参照者が付与する参照点の位置を収集する。参照者が複数の場合には、収集された参照点の位置に基づいて、複数の参照者の参照位置を統合した注目位置情報を求める。注目位置情報は、点である注目点であってもよいし、領域である注目度分布であってもよい。
【００１５】
ここで、医用カンファレンスとは、医用情報に関する議論を行う会合である。医用カンファレンスは、医用情報に関する議論を行う会合であれば、規模、参加人数はどのようなものであってもよい。医用カンファレンスは、例えば、数十人単位で行われる大規模な医用カンファレンスが挙げられる。また、数人程度で行われる小規模な医用ミーティング、医者と患者、患者の家族等とのインフォームドコンセント等も含み、適宜これらと置き換えて考えることができる。
【００１６】
参照点の位置の収集は、時間とともに位置が変化する参照点の位置を、例えば、時刻情報とともに連続的に検出、取得等することで行われる。また、参照点の位置の収集は、当該参照点の位置を、例えば、所定時間を置いて離散的に検出、取得等することで行われてもよい。
【００１７】
［医用情報処理システムの装置構成］
図１〜図３を参照して、この実施形態に係る医用情報処理システムの装置構成について説明する。図１は、この実施形態に係る医用情報処理システム１の全体構成を表す。図２は、この医用情報処理システム１のハードウェア構成を表す。図３は、この医用情報処理システム１の機能的構成を表す。なお、図１、図２に示す構成は、図３に示す機能的構成を実現するためのハードウェア構成の一例を表すものである。
【００１８】
［全体構成］
図１は、この実施形態の医用情報処理システム１の全体構成を示した図である。
【００１９】
図１に示すように、医用情報処理システム１は、コンピュータ１００を備える。医用情報処理システム１は、医用情報処理装置であるコンピュータ１００を中心として構成されている。
【００２０】
コンピュータ１００には、カンファレンスデータベース２００と、医用情報データベース４００と、大型表示装置５００とが接続されている。コンピュータ１００には、必要に応じてサーバ７００及び位置検出手段６００が接続されている。
【００２１】
カンファレンスデータベース２００は、接続線Ｌ１を介してコンピュータ１００に接続されている。医用情報データベース４００は、接続線Ｌ２を介してコンピュータ１００に接続されている。大型表示装置５００は、接続線Ｌ３を介してコンピュータ１００に接続されている。大型表示装置５００は、大型モニター、プロジェクター等が挙げられる。サーバ７００及び位置検出手段６００は、ネットワークＮを介して接続されている。ネットワークＮは、インターネット、プライベートネットワーク等を含む。
【００２２】
〔コンピュータ〕
コンピュータ１００は、一般端末３００が複数接続される中央端末としての役割を有する。中央端末とは、例えば、議題対象の近傍、会議中心者の近傍に配置される端末である。議題対象とは、例えば、大型表示装置５００等によって映された医用画像等が挙げられる。また、会議中心者とは、例えば、医用カンファレンスにおける発表者をいう。この場合、発表者は、例えば、コンピュータ１００を操作することにより発表を行う。
【００２３】
コンピュータ１００は、医用カンファレンスにおいて各種の医用情報を参照、呈示等することができるデータ参照端末としての役割を有する。この場合、コンピュータ１００は、例えば、複数の一般端末３００から送受信された複数の情報を統合処理する。統合処理がされる情報は、例えば、医用カンファレンスにて参照した医用情報、それに基づく議論の内容等が挙げられる。
【００２４】
統合処理された情報は、例えば、後述するカンファレンスデータベース２００等に保存することができる。コンピュータ１００の例としては、医療機関内のカンファレンス室に設置されたコンピュータ装置が挙げられる。
【００２５】
〔カンファレンスデータベース〕
カンファレンスデータベース２００は、少なくとも１つのデータベースを備える。カンファレンスデータベース２００は、例えば、複数のデータベースが含まれて構成されていてもよい。
【００２６】
カンファレンスデータベース２００に含まれるデータベースは、例えば、医用カンファレンスにて参照された各種の医用情報が保管されているデータベース、当該医用情報に基づく議論の内容が保管されているデータベース、また、医用カンファレンス中において参照された医用画像に対する参照点の追跡結果が保管されているデータベース等が挙げられる。
【００２７】
カンファレンスデータベース２００は、ハードディスクドライブ等の大容量の記憶装置を含んで構成される。この記憶装置には前記のような複数のデータベースを含んだ情報が格納される。接続線Ｌ１は、例えば、ＬＡＮや専用線などにより構成される。
【００２８】
〔医用情報データベース〕
医用情報データベース４００は、少なくとも１つのデータベースを含んで構成される。医用情報データベース４００は、例えば、複数のデータベースを含んで構成されていてもよい。接続線Ｌ２は、例えば、ＬＡＮや専用線などにより構成される。
【００２９】
医用情報データベース４００に含まれるデータベースは、例えば、医用画像データベース４００Ａ、読影レポートデータベース４００Ｂ、電子カルテデータベース４００Ｃ等が挙げられる。また、前記に挙げた他にも、例えば、放射線科データベース、循環器科データベース等が挙げられる。
【００３０】
医用画像データベース４００Ａは、例えば、医用画像の画像データを保管するＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）等のデータベースを用いることができる。
【００３１】
また、医用画像とは、例えば、Ｘ線診断装置、Ｘ線ＣＴ装置、ＭＲＩ装置、核医学診断装置、超音波診断装置等の各種の医用画像撮影装置、医用画像診断装置等によって患者を撮影して得られる画像を意味している。また、医用画像の保存形態、通信形態は、医用画像の標準規格であるＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）に準拠することが望ましい。医用画像は、例えば、デジタルスチルカメラ、デジタルビデオカメラ等の汎用の撮影装置で撮影されたものであってもよい。
【００３２】
医用画像には、例えば、付帯情報が含まれている。医用画像がＤＩＣＯＭに準拠している場合に、その医用画像に含まれる付帯情報は、例えば、検査日時情報、患者名情報、患者ＩＤ、検査ＩＤ、シリーズＩＤ、医用画像固有の識別情報であるイメージＩＤ、撮影条件の情報、画像生成条件の情報、画像属性等である。また、汎用の撮影装置で撮影された医用画像を含む画像の場合、その画像に含まれる付帯情報は、Ｅｘｉｆ、ＸＭＰ等のメタデータである。
【００３３】
読影レポートデータベース４００Ｂは、例えば、医用画像の読影結果が記載された読影レポートを保管する。読影レポートデータベース４００Ｂとしては、例えば、医用画像データベース４００Ａにおいて挙げたデータベースを適宜選択して用いることができる。
【００３４】
電子カルテデータベース４００Ｃとしては、電子カルテ情報を保管するＨＩＳ（Ｈｏｓｐｉｔａｌ  Ｉｎｆｏｒｍａｔｉｏｎ  Ｓｙｓｔｅｍ）等におけるデータベースを用いることができる。
【００３５】
放射線科データベースとしては、放射線科における検査結果を含む放射線科情報を保管するＲＩＳ（Ｒａｄｉｏｌｏｇｙ  Ｉｎｆｏｒｍａｔｉｏｎ  Ｓｙｓｔｅｍ）等におけるデータベースを用いることができる。
【００３６】
循環器科データベースとしては、循環器科における検査結果を含む循環器科情報を保管するＣＩＳ（Ｃａｒｄｉｏｌｏｇｙ  Ｉｎｆｏｒｍａｔｉｏｎ  Ｓｙｓｔｅｍ）等におけるデータベースを用いることができる。放射線科情報、循環器科情報等に含まれる検査結果は、例えば、検査のオーダ情報、検査時に使用した造影剤の種類等の情報も含む。
【００３７】
また、医用情報データベース４００に含まれるデータベースとして前記に挙げたデータベースを、それぞれ独立した医用情報データベース４００としてコンピュータ１００に複数接続してもよい。医用情報データベース４００は、ハードディスクドライブ等の大容量記憶装置を含んで構成される。この大容量記憶装置には、医用カンファレンスにて参照された各種の医用情報等が格納される。接続線Ｌ３は、たとえばＬＡＮケーブルや専用線などにより構成される。
【００３８】
〔大型表示装置〕
大型表示装置５００は、コンピュータ１００に接続されている。大型表示装置５００は、複数の一般参加者に議題対象を呈示するための表示装置である。大型表示装置５００は、医用画像等が表示される大型表示部５００ａの表示領域が大型であればよく、大型表示装置５００自体は、例えば、プロジェクター等の小型のものであってもよい。
【００３９】
大型表示装置５００は、大型表示部５００ａを含むものとする。大型表示部５００ａは、例えば、一般参加者が、大型表示部５００ａから一定距離（例えば１ｍ〜５０ｍ）以上離れていても表示画像を視認できる程度の大きさを有する。
【００４０】
大型表示装置５００としては、例えば、プロジェクター、リアプロジェクター表示装置、プラズマディスプレイ、液晶ディスプレイ、ＬＥＤ表示装置、有機ＥＬ（ＯＬＥＤ）表示装置等が挙げられる。
【００４１】
大型表示部５００ａは、大型表示装置５００として前記で挙げたもののうち、例えば、プロジェクターであれば、スクリーンに投影して表示されたものをいう。また、その他のものは、各装置に備えられた表示部に表示されたものをいう。
【００４２】
〔位置検出手段〕
位置検出手段６００は、大型表示部５００ａに表示された医用画像に対する参照位置を検出する参照位置収集手段である。ここで、参照位置とは、医用カンファレンスの参加者が、医用カンファレンス開催中に大型表示部５００ａによって呈示された医用画像を参照した位置を示す。
【００４３】
参照位置は、点である参照点の位置、領域である参照領域の２次元的、３次元的位置を含む。また、参照者は、単数でも複数でもよく、複数の場合には参照者ごとに参照位置が取得される。位置検出手段６００は、大型表示部５００ａに表示された医用画像に対する参照位置を検出可能なように設けられている。
【００４４】
位置検出手段６００は、医用画像の参照者である参加者によって、例えば、参照点が医用画像に付与される場合には、その参照点の位置を取得する。また、該参加者によって、例えば、参照領域が医用画像に付与される場合には、この参照領域の２次元的な位置を取得する。また、この参照領域の中心点、重心点等を参照点として、その位置を参照位置として取得してもよい。
【００４５】
参照領域は、例えば、参照点を指定するポインタ、手指等が指定する領域が大きく、参照位置を点として認識できない場合に取得される。また、参照者の音声情報、参照者の動作情報等を解析することによって参照位置を指定する場合、参照位置を点として指定できない場合に取得される。
【００４６】
参加者には、例えば、会議中心者及び一般参加者、または、これらのうちのいずれか一方を含む。また、以下においては、参照位置の収集を、参照点の位置を用いて説明しているが、参照位置を参照領域の位置としても同様に行うことができる。
【００４７】
会議中心者が、医用カンファレンス中に大型表示部５００ａに表示された医用画像を参照する場合として、例えば、議題発表をする場合が挙げられる。この場合において、医用画像に付与される参照領域又は参照点は、会議中心者の行為によって指定される。
【００４８】
会議中心者の行為は、例えば、大型表示部５００ａに表示された医用画像を見る行為、該医用画像にレーザーポインタを照射する行為、該医用画像に差し棒の先端を指す行為、該医用画像に手指を指す行為、該医用画像にマウスポインタを重ねる行為、会議中心者が該医用画像について説明する行為、会議中心者が該医用画像について説明するためにジェスチャをする行為等が挙げられる。
【００４９】
会議中心者が、上記に挙げた行為をすることによって、該医用画像上に参照点が付与される。参照点は、例えば、会議中心者の視線と該医用画像との交点の位置、レーザーポインタの照射点の位置、差し棒の先端が指し示す位置、会議中心者の手指の先端が指し示す位置、マウスポインタの位置等に基づいて付与される。さらに、会議中心者のジェスチャの動きによって指定された位置、会議中心者の音声等によって指定された位置に付与されてもよい。これらの位置が領域の場合には、前記したように、この領域の中心点、重心点等を参照位置とする。
【００５０】
参照点の動きは、参照点の位置の時系列変化によって特定される。参照点の動きは、例えば、会議中心者の視線の軌跡、レーザーポインタの軌跡、差し棒の先端の軌跡、会議中心者の手指の先端の軌跡、マウスポインタの軌跡等に基づいて特定される。
【００５１】
一般参加者が、医用カンファレンス中に大型表示部５００ａに表示された医用画像を参照する場合として、例えば、聴講をする場合が挙げられる。この場合において、医用画像に付与される参照点は、一般参加者の行為によって指定される。
【００５２】
一般参加者の行為は、例えば、大型表示部５００ａに表示された医用画像を見る行為、該医用画像に手指を指す行為、一般参加者が該医用画像について会話する行為、一般参加者が該医用画像について会話するためにジェスチャをする行為等が挙げられる。
【００５３】
一般参加者が、上記に挙げた行為をすることによって、該医用画像上に参照点が付与される。参照点は、例えば、一般参加者の視線と該医用画像との交点の位置、一般参加者の手指の先端が指し示す該医用画像の位置等に付与される。さらに、一般参加者のジェスチャの動きによって指定された該医用画像の位置、一般参加者の音声等によって指定された該医用画像の位置等に付与されてもよい。
【００５４】
参照点の動きは、参照点の位置の時系列変化によって特定される。参照点の動きは、例えば、一般参加者の視線の軌跡、一般参加者の手指の先端の軌跡、マウスポインタの軌跡等に基づいて指定される。
【００５５】
位置検出手段６００による、医用画像上における参照点の位置の検出の例を挙げると、以下のようなものが挙げられる。
【００５６】
第１の検出の例として、視線検出が挙げられる。つまり、大型表示部５００ａに備えられたビデオカメラ等で参照者の両眼又は片眼を含んだ動画を撮影する。撮影された動画から大型表示部５００ａに表示された医用画像に対する参加者それぞれの視線の位置を検出して医用画像上における参照点の位置を特定する。視線の位置の検出は、撮影された動画を解析して参照者の眼球の動き等を特定することによって行われる。視線検出は、例えば、参照者それぞれに装着された視線検出装置を用いてもよい。この視線検出装置は、例えば、参照者が装着するヘッドマウントディスプレイに備えられている。
【００５７】
第２の検出の例として、レーザーポインタの照射光を検出することが挙げられる。つまり、大型表示部５００ａに照射されるレーザーポインタの照射光を、例えば、大型表示部５００ａに備えられた光検出器等で検知することで、医用画像上における参照点の位置を検出する。光検出器は、例えば、フォトダイオードであって、光を検知した箇所を参照点の位置として検出する。フォトダイオードの光検知面には、例えば、レーザー光を減衰させるためのフィルタが備えられていてもよい。
【００５８】
第３の検出の例として、表示画面に照射又は表示されたポインタの動きを解析することで検出する事が挙げられる。つまり、ビデオカメラ等でレーザーポインタの光が照射された大型表示部５００ａを撮影し、録画された動画を解析することで医用画像上における参照点の位置を検出する。この解析は、撮影された動画を解析することで照射光の動きを抽出する。ポインタは、例えば、マウスポインタであってもよい。
【００５９】
第４の検出の例として、録音された音声情報を解析することで検出する事が挙げられる。つまり、参照者の会話を録音等することによって取得し、その音声データから音声認識によって言葉を抽出し、抽出された言葉の意味内容を解析して特定し、医用画像上における参照点の位置を検出する。
【００６０】
第５の検出の例として、参照者の動作を解析することで検出する事が挙げられる。つまり、参照者の動作を録画等することによって取得し、その映像データからモーション認識によって参照者の動きを抽出し、抽出された動きの意味内容を解析して特定し、医用画像上における参照点の位置を検出することが挙げられる。位置検出手段６００による参照点の位置の検出については、後述する機能的構成において詳しく説明する。
【００６１】
〔サーバ〕
また、コンピュータ１００は、ネットワークＮを介してサーバ７００に接続されていてもよい。サーバ７００は、例えば、医学分野の論文や記事等の文献や画像等の電子データが格納されている。この電子データは、必要に応じてページ化されており、格納された電子データを引き出し可能に構成されている。
【００６２】
サーバ７００は、例えばインターネット上のサーバであって、コンピュータ１００等のコンピュータ端末からの要求を受けて当該電子データを、ネットワークＮを通じて提供する。
【００６３】
［ハードウェア構成］
次に、後述する機能を実現するための、医用情報処理システム１（主としてコンピュータ１００）のハードウェア構成について図２を参照しつつ説明する。
【００６４】
コンピュータ１００は、一般的なコンピュータと同様に、マイクロプロセッサ１０１、主記憶装置１０２、外部記憶装置１０３、及び通信インターフェイス１０８を含んで構成される。なお、符号１０９は、これら各部を接続するバスを示している。以下、コンピュータ１００のこれらの構成部分についてそれぞれ説明する。
【００６５】
マイクロプロセッサ１０１は、ＣＰＵやＭＰＵ等の演算制御装置を含んで構成される。前述の制御部３０、処理部２０の動作は、マイクロプロセッサ１０１によって実現される。主記憶装置１０２は、ＲＡＭ等のメモリ装置を含んで構成される。外部記憶装置１０３は、ＲＯＭやハードディスクドライブ等の記憶装置を含んで構成される。コンピュータ１００において取得収集された情報は、例えば、主記憶装置１０２、外部記憶装置１０３に一時的に保管される。
【００６６】
外部記憶装置１０３には、例えば、コンピュータプログラム１０３ａが予め格納されている。また、外部記憶装置１０３には、例えば、データベースが予め格納されている。マイクロプロセッサ１０１は、このコンピュータプログラム１０３ａを主記憶装置１０２上に展開して、この実施形態に特徴的な後述の処理を医用情報処理システム１に実施させる。
【００６７】
また、コンピュータ１００は必要に応じてコンソール１０４を有する、このコンソール１０４は、表示部１０５と操作部１０６を含んで構成される。表示部１０５は、液晶（ＬＣＤ）ディスプレイ、有機ＥＬ（ＯＬＥＤ）ディスプレイ、電子ペーパー、ＣＲＴディスプレイなどの任意の表示装置を含んで構成される。表示部１０５は、外部からの入力によって表示部１０５を制御する表示制御部１０５ａを備えている。
【００６８】
操作部１０６は、キーボード、マウス、トラックボール、ジョイスティック、操作卓などの任意の操作装置や入力装置を含んで構成される。また、表示部１０５は、操作部１０６を含んだものであってもよく、例えば、タッチパネルディスプレイが挙げられる。タッチパネルディスプレイは、人間の指、タッチペンなどによって操作される。コンソール１０４は、例えば、会議中心者によって使用される。
【００６９】
通信インターフェイス（Ｉ／Ｆ）１０８は、ＬＡＮカード等のネットワークアダプタ（ＮＩＣ）や、インターネットに接続するためのモデムなどの任意の通信装置を含んで構成される。コンピュータ１００は、通信インターフェイス１０８によってカンファレンスデータベース２００、医用情報データベース４００にアクセスする。
【００７０】
表示機器インターフェイス（Ｉ／Ｆ）１１１は、表示部１０５とは別に、大型表示装置５００を接続するインタ−フェイスである。このインターフェイスは、例えば、映像入力ンターフェイスとして、従来公知のものから適宜選択できる。この映像入力インターフェイスとしては、例えば、ＶＧＡ端子、ＤＶＩ端子、ＨＤＭＩ（登録商標）端子、ＤｉｓｐｌａｙＰｏｒｔ（登録商標）端子等が挙げられる。また、大型表示装置５００は、例えば、通信インターフェイス（Ｉ／Ｆ）１０８を介してコンピュータ１００と接続することもできる。
【００７１】
ここで、カンファレンスデータベース２００は、例えば、ネットワーク記憶装置などによって構成される。ネットワーク記憶装置には、医用カンファレンスの開催履歴等の情報が保管される。ネットワーク記憶装置は、ＮＡＳ（Ｎｅｔｗｏｒｋ  Ａｔｔａｃｈｅｄ  Ｓｔｒａｇｅ）等が挙げられる。
【００７２】
また、カンファレンスデータベース２００は前述したように、例えば、複数のデータベースを含んで構成される。これらのデータベースのそれぞれには、画像が取扱われた状態を示す画像取扱い情報が記憶される。
【００７３】
画像取扱い情報は、例えば、医用カンファレンス開催中に、端末又は端末間において、医用画像が取扱われた態様を示す情報である。この実施形態では、医用画像の周囲の環境からのアクセス状況やその周囲の状況等を示す情報を画像取扱い情報としている。これは、医用画像がどのように使用されたか、その態様を把握するためである。つまり、画像取扱い情報とは、医用カンファレンスにおける検討内容を側面から知りうることができる情報である。
【００７４】
画像取扱い情報を含む情報としては、例えば、医用画像の表示情報、医用画像への操作情報、医用画像の操作者の位置情報、医用画像に関する通信情報、医用カンファレンス中における医用画像に関する音声情報、映像情報、これらの情報に関する情報等が挙げられる。
【００７５】
［医用情報処理システムの機能的構成］
次に、この医用情報処理システム１の機能的構成の一例について図３を参照しつつ説明する。
【００７６】
医用情報処理システム１は、コンピュータ１００と、大型表示部５００ａと、カンファレンスデータベース２００と、医用情報データベース４００と、位置検出手段６００とを含んで構成される。
【００７７】
医用情報処理システム１は、医用情報データベース４００から取得した医用画像と、医療情報と、位置検出手段６００によって検出された参照点の位置とをコンピュータ１００で処理する。この処理によって注目度が付与された医用画像が生成され、これがカンファレンスデータベース２００に保存される。以下、これら各部の詳細をそれぞれ説明する。
【００７８】
〔大型表示装置〕
大型表示装置５００は、コンピュータ１００に接続線を介して接続されている。大型表示装置５００は、コンピュータ１００からの信号の入力を受けて表示制御部５１０に制御され、大型表示部５００ａに画像等を表示する。
【００７９】
〔位置検出手段〕
位置検出手段６００は、医用カンファレンス開催中に、大型表示部５００ａに表示された医用画像に対して付与された参照点を追跡し、参照点の位置を逐次検出する。これは、例えば、大型表示部５００ａにおいて、参照点の位置座標を時刻とともに検出することが挙げられる。この検出は、時系列に連続的に行われるが、例えば、一定の時間間隔で離散的に行なってもよい。また、図中の破線部は、位置検出手段６００に大型表示装置５００から非接触で情報が入力される経路を示している。
【００８０】
この実施形態における参照位置の検出及び追跡は、表示部１０５上、大型表示部５００ａ上において可能であるが、指定のない場合には大型表示部５００ａ上においてなされるものとする。
【００８１】
表示部１０５において参照位置の検出をする場合には、例えば、大型表示部５００ａにおける参照点の位置の検出と同様にして行うことができる。この一例としては、医者の患者に対するインフォームドコンセント等をする場合において、コンピュータ１００に接続された表示部１０５を医者、患者等が見る場合等が挙げられる。この場合、医用カンファレンスに当てはめると、医者が会議中心者、患者が一般参加者に相当する。
【００８２】
参照点は、上述した例を適宜選択してその位置を特定することができる。例えば、参照点が、参照者の視線によって医用画像上に付与される場合には、参加者の眼を動画撮影してその動きを解析することによって視線を特定し、この視線が大型表示部５００ａと交わる点を参照点の位置として検出することができる。
【００８３】
位置検出手段６００は、例えば、録画手段６００Ａ、録音手段６００Ｂ、光検出手段６００Ｃ、変位検出手段６００Ｄを含んで構成されている。
【００８４】
位置検出手段６００は、これらの手段のうちの少なくとも１つを用いて、必要に応じて処理手段６００Ｅで解析処理がされることで参照点の位置を検出する。或いは、これらの手段のうちの少なくとも２つを組み合わせ、必要に応じて処理手段６００Ｅで解析処理がされることで参照点の位置を検出する。
【００８５】
検出された参照点の位置は、取得時刻とともに、参照点情報としてコンピュータ１００に出力される。コンピュータ１００は、後述する取得部１０でこの参照点情報を取得する。
【００８６】
録画手段６００Ａは、撮影及び録画する機能を有していれば、その構成、形態等はどのようなものであってもよく、従来公知の録画機器を適宜選択して用いることができる。また、録画手段６００Ａは録画機能を有さない撮影手段であってもよい。
【００８７】
以下に録画手段６００Ａを用いた参照点の位置の検出の一例を説明する。
【００８８】
録画手段６００Ａは、例えば、参照者の眼球の動きを認識できる動画が撮影可能であって、処理手段６００Ｅを備えたビデオカメラである。また、録画手段６００Ａは、参照者の眼球の動きを認識できる動画が撮影可能な位置に設けられている。処理手段６００Ｅがコンピュータ１００の構成に含まれている場合には、ビデオカメラは、処理手段６００Ｅを含まない構成であってもよい。
【００８９】
参照者が、複数の一般参加者である場合、録画手段６００Ａは、例えば、参照者毎に設けられる。録画手段６００Ａは、従来公知のビデオカメラである。この場合、ビデオカメラは、参照者の眼を撮影可能に設けられる。また、ビデオカメラは、処理手段６００Ｅを備えている。録画手段６００Ａを、参照者毎に設けることで、録画手段６００Ａと参照者とが対応付けられ、録画データから参照者を特定することができる。
【００９０】
また、ビデオカメラは、複数の参照者を一括で撮影して、複数の参照者の視線情報をまとめて取得してもよい。一台の録画手段６００Ａで複数の参照者の視線をまとめて取得することにより、録画手段６００Ａの台数を少なくすることができる。
【００９１】
位置検出手段６００は、医用カンファレンス開催中において、当該動画撮影で得られた動画情報を解析することによって、大型表示部５００ａに対する視線を特定する。さらに、特定した視線と交差する大型表示部５００ａ上の位置を、参照点の位置として時系列に検出する。検出された参照点の位置は、コンピュータ１００に出力される。
【００９２】
コンピュータ１００は、後述する参照位置取得部１０Ｂにおいて、当該参照点の位置を取得する。参照位置取得部１０Ｂは、取得部１０を構成している。参照位置取得部１０Ｂは、医用カンファレンス開催中に検出された大型表示部５００ａ上の参照点の位置と、大型表示部５００ａに表示された医用画像の位置とに基づいて医用画像に対する参照点の位置を取得する。
【００９３】
医用画像に対する参照点の位置の取得は、例えば、参照点の位置が取得された時刻情報と、医用画像が表示された時刻情報とを対応付けることで行われる。参照位置取得部１０Ｂについては、後述する機能的構成において詳しく説明する。
【００９４】
また、使用するビデオカメラの解像度によっては、参照者の眼球の動作を取得できない場合があるので、その場合には、参照者の顔の向き、全体的な動作等から視線を推定してもよい。
【００９５】
また、別の一例として、録画手段６００Ａは、例えば、大型表示部５００ａに接続されたビデオレコーダーである。このビデオレコーダーは、医用カンファレンス開催中において、大型表示部５００ａに表示された映像を録画可能なように設けられる。
【００９６】
位置検出手段６００は、医用カンファレンス開催中に、当該録画によって得られた録画情報を解析する。この解析は、例えば、大型表示部５００ａに表示された医用画像に対するマウスポインタの動きを検出することが挙げられる。この検出は、例えば、マウスポインタの先端部を参照点として、この参照点の大型表示部５００ａ上の位置を参照点の位置として時系列に検出する。検出された参照点の位置は、前記と同様に参照位置取得部１０Ｂに出力される。参照位置取得部１０Ｂは、前記と同様に処理を行うことで医用画像に対する参照点の位置を取得する。
【００９７】
さらに、別の一例として、録画手段６００Ａは、例えば、大型表示部５００ａ全体を動画撮影可能に設けられたビデオカメラである。このビデオカメラは、医用カンファレンス開催中において、大型表示部５００ａに表示された映像を動画撮影可能なように設けられる。
【００９８】
位置検出手段６００は、医用カンファレンス開催中に、当該動画撮影によって得られた録画情報を解析する。この解析は、例えば、医用画像が表示された大型表示部５００ａに会議中心者等によって照射されたレーザーポインタのレーザー光を検出することで行われる。この検出は、例えば、照射光を参照点として、この参照点の大型表示部５００ａにおける位置を参照点の位置として時系列に検出する。検出された参照点の位置は、前記と同様に参照位置取得部１０Ｂに出力される。参照位置取得部１０Ｂは、前記と同様に処理を行うことで医用画像に対する参照点の位置を取得する。
【００９９】
さらに別の一例として、録画手段６００Ａは、例えば、装着者の視線追跡が可能なヘッドマウントディスプレイである。このヘッドマウントディスプレイは、医用カンファレンス開催中において、ヘッドマウントディスプレイの画面に擬似的に表示された大型表示部５００ａに対する、装着者の視線を追跡可能なように設けられている。さらに、ヘッドマウントディスプレイには、処理手段６００Ｅの機能が備えられている。この場合の装着者は参照者である。
【０１００】
ヘッドマウントディスプレイは、大型表示部５００ａを擬似的に表示する画面を有しないものであってもよい。この場合のヘッドマウントディスプレイは、擬似的な画面表示はされず、視線計測が行われる。
【０１０１】
位置検出手段６００は、医用カンファレンス開催中に、当該動画撮影によって得られた視線情報を処理手段６００Ｅによって解析処理する。この解析は、例えば、医用画像が表示された大型表示部５００ａに、会議中心者等によって照射されたレーザーポインタのレーザー光を検出することで行われる。この検出は、例えば、レーザー光を参照点として、この参照点の大型表示部５００ａにおける位置を参照点の位置として時系列に検出する。検出された参照点の位置は、コンピュータ１００に出力される。コンピュータ１００は、前記と同様に処理を行うことで医用画像に対する参照点の位置を取得する。
【０１０２】
録音手段６００Ｂは、音声を録音可能な機能を有していれば、その録音形態はどのようなものであってもよく、従来公知の録音機器を適宜用いることができる。また、録音手段６００Ｂは、録音機能を有さなくてもよく、例えば、音声取得手段であってもよい。
【０１０３】
以下に録音手段６００Ｂを用いた参照点の位置の検出の一例を説明する。
【０１０４】
録音手段６００Ｂは、参照者の音声を録音可能なように設けられたボイスレコーダーである。このボイスレコーダーは、医用カンファレンス開催中において、参照者の音声を録音可能なように設けられる。
【０１０５】
位置検出手段６００は、医用カンファレンス開催中に、当該録音によって得られた音声情報を処理手段６００Ｅによって解析処理する。この解析処理によって参照点の位置を検出する。当該音声情報において医用画像の特定の部位について会議中心者の言及がある場合には、その部位を参照点の位置として時系列に検出する。
【０１０６】
検出された参照点の位置は、音声情報、医用画像及び検出時刻の情報とともに、前記と同様に参照位置取得部１０Ｂに出力される。参照位置取得部１０Ｂは、前記と同様に処理を行うことで医用画像に対する参照点の位置を取得する。録音手段６００Ｂは、例えば、録画手段６００Ａ等の他の位置検出手段と併用してもよい。
【０１０７】
光検出手段６００Ｃは、大型表示部５００ａに入射する光を検出する機能を有していれば、その検出形態はどのようなものであってもよく、従来公知の光検出装置を適宜用いることができる。光検出手段６００Ｃは、光検出部５２０を備える。光検出部５２０は、大型表示部５００ａに入射する光を検出可能に設けられる。光検出部５２０は、大型表示部５００ａの表示を妨げない構成を有している。
【０１０８】
大型表示部５００ａの表示を妨げない構成として、例えば、複数個の光検出部５２０が大型表示部５００ａ上に設けられる場合にあっては、大型表示部５００ａにおいて光検出部５２０が占有する総面積が小さいことが挙げられる。
【０１０９】
大型表示部５００ａが、例えば、液晶パネル、ＯＬＥＤパネル等の表示パネルである場合には、各画素に備えられたＴＦＴ素子の近傍にＴＦＴ素子と同程度の大きさのフォトトランジスタ素子を形成する。これにより、大型表示部５００ａにおける表示を妨げることなく各画素に入射する光を画素毎に検出することができる。また、大型表示部５００ａを表示画素と検出画素とを交互に並べて構成することによって、大型表示部５００ａにおける表示を妨げることなく検出画素近傍の表示画素を参照点の位置と特定することができる。
【０１１０】
また、大型表示部５００ａが、例えば、プロジェクター等によって画像が投影されるスクリーンである場合には、スクリーン上にフォトトランジスタ素子を、千鳥格子状に配列する。このフォトトランジスタ素子と投影される画像との位置を、処理手段６００Ｅにおいて対応させることで、スクリーン上に表示された医用画像における参照点の位置の検出が可能となる。
【０１１１】
また、例えば、スクリーンを所定の強度以上の光を透過可能に構成し、スクリーンの背面にフォトトランジスタを設ける。このフォトトランジスタが、スクリーンを透過したレーザー光を検知する。所定の強度とは、例えば、レーザー光の強度である。また、スクリーンを所定の波長の光を透過可能に構成してもよい。これにより、大型表示部５００ａにおける表示を妨げることなく、大型表示部５００ａ上における参照点の位置を検出することが可能となる。
【０１１２】
光検出手段６００Ｃは、例えば、特定の強度、波長等の光を選択的に検出可能な構成を有している。これは、例えば、光検出部５２０であるフォトトランジスタ素子の素子面に、光学フィルタが設けられていることが挙げられる。この光学フィルタは、所定の強度、所定の波長等の光を選択的に透過させることができる。これにより、大型表示部５００ａに照射されるレーザー光を選択的に検出することができる。また、検出した光の波長、強度等を解析することによって、レーザー光を選択的に検出するようにしてもよい。
【０１１３】
光検出手段６００Ｃは、複数の光検出部５２０を備えている。光検出手段６００Ｃは、光検出部５２０において光の検出があると、光検出部５２０の位置、検出時間等を処理手段６００Ｅに送信する。
【０１１４】
参照点の位置の検出の一例を、光検出手段６００Ｃの具体例を用いて説明する。
【０１１５】
光検出手段６００Ｃに備えられた光検出部５２０は、大型表示部５００ａの各画素に備えられたフォトトランジスタである。このフォトトランジスタにレーザーポインタによって光の照射がされると、フォトトランジスタの光照射面に設けられた光学フィルタによって、レーザーポインタの光が選択的に透過される。光学フィルタを透過したレーザーポインタの光は、フォトトランジスタの光検出面に達して検知がされる。このフォトトランジスの位置に対応する医用画像の位置が参照点の位置となる。光検出手段６００Ｃは、医用カンファレンス開催中に、前述のようにして参照点の位置を時系列に検出する。
【０１１６】
変位検出手段６００Ｄは、参照点を付与する機器等の変位を計測可能な構成を有していれば、その検出形態はどのようなものであってもよく、従来公知の変位検出装置を適宜用いることができる。変位検出手段６００Ｄは、例えば、位置センサが挙げられ、位置センサとしては、加速度センサ、磁気変位センサ、光ファイバジャイロ等が挙げられる。
【０１１７】
参照点の位置の検出の一例を、変位検出手段６００Ｄの具体例を用いて説明する。
【０１１８】
変位検出手段６００Ｄは、例えば、参照者である会議中心者が操作する差し棒に設けられた変位センサである。医用カンファレンス開催中における差し棒の動きを検出可能に設けられている。位置検出手段６００は、医用カンファレンス開催中において、当該変位検出によって得られた変位情報を解析することによって、差し棒の先端が大型表示部５００ａのどの位置に対応しているのかを検出する。検出された差し棒の位置情報は、医用カンファレンス開催中に大型表示部５００ａに表示された医用画像の情報と対応付けられる。これにより、当該医用画像に対する参照点の位置が特定され、これが時系列に検出される。この対応付けは、例えば、両者に含まれる時刻情報によって行われる。
【０１１９】
〔コンピュータ〕
コンピュータ１００は、取得部１０と、処理部２０と、制御部３０と、操作部４０と、医療情報取得部５０と、記憶部７０とを含んで構成されている。
【０１２０】
取得部１０は、医用画像と参照位置を少なくとも取得する。処理部２０は、取得部１０で取得した情報を処理する。制御部３０は、取得部１０、処理部２０等を制御する。
操作部４０と、医療情報取得部５０は、医用情報データベース４００等から各種の医療情報を取得する。記憶部７０は、処理部２０等で生成した情報を必要に応じて記憶する。
【０１２１】
〔取得部〕
取得部１０は、画像取得部１０Ａと、参照位置取得部１０Ｂとを含んで構成されている。画像取得部１０Ａは、医用情報データベース４００から所望の医用画像を取得する。参照位置取得部１０Ｂは、大型表示部５００ａに取得した医用画像を表示する場合に、その医用画像に対する参照位置を検出する。
【０１２２】
（画像取得部）
画像取得部１０Ａは、医用カンファレンス開催中における大型表示部５００ａの表示情報を時系列で取得し、この表示情報から医用画像の表示情報を選択的に取得する。医用画像の表示情報の取得は、例えば、医用画像に予めタグ付けをしておき、このタグ付けがされた情報を表示制御部５１０等が表示のために呼び出した場合に行われる。画像取得部１０Ａは、表示部１０５の表示情報を時系列で取得してもよい。
【０１２３】
画像取得部１０Ａにおいて取得された医用画像の表示情報は、例えば、カンファレンスデータベース２００にその表示時刻とともに記憶される。表示時刻とともに記憶されることで、当該表示情報に基づいて当該医用画像が医用画像データベース４００Ａから引き出し可能となる。これにより、所望の医用カンファレンスが終了した後においても、画像取得部１０Ａは、カンファレンスデータベース２００に保存された表示情報に基いて、その医用カンファレンスにおいて参照された所望の医用画像を取得することができる。
【０１２４】
医用画像は、例えば、前述したＤＩＣＯＭに準拠している。医用画像は、付帯情報を有している。付帯情報は、患者名、患者ＩＤ、モダリティ、受付番号、検査日等の情報を含む。
【０１２５】
（参照位置取得部）
参照位置取得部１０Ｂは、位置検出手段６００において検出した、参照位置を収集する参照位置取得手段である。参照位置は、少なくとも１人の参照者が参照する医用画像上の位置である。
【０１２６】
参照位置は、例えば、検出した時刻とともに時系列に取得される。参照位置取得部１０Ｂは、例えば、この参照位置の情報及び検出時刻の情報を参照点合成部２０Ａに出力する。
【０１２７】
参照点合成部２０Ａは、参照位置の情報と検出時刻の情報とに基づいて、参照点の時系列曲線である軌跡を生成する。
【０１２８】
参照位置取得部１０Ｂは、参照位置と、医用画像の大型表示部５００ａにおける表示位置とを対応付ける。両者は、例えば、両者に含まれる時刻情報によって時系列に対応付けられる。これにより、大型表示部５００ａに表示された医用画像に対する参照位置を取得する。この場合、対応する医用画像は、画像取得部１０Ａから取得される。
【０１２９】
参照位置取得部１０Ｂは、参照位置を、カンファレンスデータベース２００等の記憶手段に記憶させる。参照位置取得部１０Ｂは、例えば、参照位置を、対応する医用画像、医用カンファレンス等の情報とともにカンファレンスデータベース２００に出力する。
【０１３０】
カンファレンスデータベース２００には、医用画像、医用カンファレンス等の情報に対応付けられた参照位置が保存される。これにより、参照位置取得部１０Ｂは、所望の医用カンファレンスが終了した後においても、カンファレンスデータベース２００からその医用カンファレンスにおいて参照された所望の医用画像に対応する参照位置と検出時刻とを取得することができる。
【０１３１】
（医療情報取得部）
医療情報取得部５０は、医用情報データベース４００に記憶されている医療情報を取得し、注目位置特定部２０Ｃ等に出力する医療情報収集手段である。医療情報は、医用画像データベース４００Ａに保存されている医用画像と対応付けされている。この医療情報には、対応する医用画像と、この医用画像上においてこの医療情報が対応する位置情報である位置対応情報とが含まれている。
【０１３２】
医療情報は、医用カンファレンスにおいて参照される前の医用画像に対応付けされている。医療情報は、例えば、医療実施情報、個人情報、過去の医用カンファレンスにおける注目度、医用参考情報が挙げられる。医療情報は、前記に挙げた情報のうち少なくとも２つを組み合わせたものであってもよい。
【０１３３】
医療実施情報とは、医用カンファレンスで参照された医用画像において、その医用カンファレンスで参照されるより前に、医師等が、読影、診断、治療等の医療処理（医療行為）を行った情報をいう。医療実施情報は、医療情報取得部５０によって、読影レポートデータベース４００Ｂ、電子カルテデータベース４００Ｃ等から、医用画像に基づいて取得される。
【０１３４】
医用カンファレンスで参照された医用画像に、例えば、画像ＩＤが付与されている場合、医療情報取得部５０は、その画像ＩＤに基いて、読影レポートデータベース４００Ｂ及び電子カルテデータベース４００Ｃから、医療実施情報を取得する。医療実施情報は、その医用画像が引用されている読影レポート及び電子カルテである。
【０１３５】
医療情報取得部５０は、さらに、取得した読影情報レポート情報、電子カルテ情報から、その医用画像に対応する読影情報、診断情報、治療情報等を、その医用画像上において対応する位置とともに取得する。
【０１３６】
これらの情報は、前述したように、対応する医用画像のどの位置における情報なのかを示す情報を含んでいる。これは、例えば、医療情報が出力される注目位置特定部２０Ｃにおいて、この医用画像の診断、治療等がされた部位である注目位置を特定することができる診断・治療部位特定情報として用いられる。
【０１３７】
個人情報とは、参照された医用画像に対応する患者個人の情報である。個人情報は、例えば、患者の氏名、年齢、身体情報、既往症の情報、通院歴の情報等が挙げられる。身体情報とは、例えば、身長、体重、血圧等の身体における一般的な情報である。既往症の情報とは、例えば、その患者の医療実施情報のうち、参照する医用画像に対応しない部位における情報をいう。この既往症の情報は、医療実施情報に含まれてもよいが、その場合には、医用画像上において対応する位置は取得されない。
【０１３８】
医用カンファレンスで参照された医用画像が、その医用カンファレンスで参照されるより前に、別の医用カンファレンス等において参照されている場合、医用画像には、過去の医用カンファレンスおいて前記と同様に付与された注目度を有する。この注目度は、現在行われている医用カンファレンスにおいて参照することが可能である。
【０１３９】
医用参考情報は、参照された医用画像、又はその医用画像の特定の部位に関連した外部情報をいう。外部情報とは、医用情報処理システム１の外部から取得される情報であって、例えば、一般的な医用情報を含む。一般的な医用情報とは、一般に公開されている医用情報であって、例えば、教科書、医用辞典、医用記事等の医用文献、医用画像、医用動画等の医用コンテンツ等から取得される。医用情報は、例えば、病理情報、医薬情報等も含む。
【０１４０】
また、医療情報取得部５０は、医用カンファレンス開催中に所望の医療情報を選択的に取得することで、医用カンファレンス開催中において大型表示部５００ａ等に表示された医用画像に、取得した医療情報を、例えば、オーバーレイ表示することができる。
【０１４１】
（処理部）
処理部２０は、参照位置取得部１０Ｂで取得した医用画像および参照位置を統合した注目位置の情報を求める注目位置算出手段の機能を有する。さらに、注目位置の情報と医療情報取得部５０で取得した医療情報とを処理することで、この注目位置に医療情報等及び参照位置に基づく注目度を関連付ける処理手段の機能を有する。さらに、医用画像の注目位置に対応する位置にアノテーションを付与するアノテーション付与手段の機能を有する。また、注目位置の情報、アノテーションが付与された医用画像等を出力する出力手段の機能を有する。
【０１４２】
処理部２０は、参照点合成部２０Ａ、注目度分布生成部２０Ｂ及び注目位置特定部２０Ｃの３つの算出部と、アノテーション付与部２０Ｄと、図示しない出力部とを含んで構成される。
【０１４３】
参照点合成部２０Ａ及び注目度分布生成部２０Ｂは、複数の参照位置に基いて、参照点が密集する度合いを示す密集分布を算出し、密集分布の密集度に基づいて注目度の高さの分布である注目度分布を算出する。
【０１４４】
注目位置特定部２０Ｃは、この注目度分布において示された注目度の高さと、新たに取得した医療情報とを関連付ける。アノテーション付与部２０Ｄは、この関連付けがされた位置にアノテーションを付与する。
【０１４５】
（参照点合成部）
参照点合成部２０Ａは、参照位置取得部１０Ｂで取得した参照点の、医用画像上の座標位置から参照点が移動する軌跡を算出して注目度分布生成部２０Ｂ及び/又は大型表示部５００ａ等の表示部に出力する。
【０１４６】
（注目度分布生成部）
注目度分布生成部２０Ｂは、参照位置取得部１０Ｂで時系列に取得した参照位置から注目度分布を生成する。注目度分布は、医用カンファレンス開催中における表示画像に対する注目度を分布として示したものであって、この分布は、例えば、注目度マップとして示すことができる。注目度マップは、例えば、ヒートマップ、コンターマップ等である。
【０１４７】
参照位置から注目度分布を生成する一例を示す。参照位置から、大型表示部５００ａ上における単位面積当たりの参照点の数を求め、これに基いて参照点が密集する度合いを示す密集分布を算出する。この密集分布から注目度分布を算出する。
【０１４８】
別の一例を示すと、参照位置から大型表示部５００ａの各座標位置（例えば、各画素位置）において参照点となる回数を積算し、各座標位置における参照点の積算の結果から注目度分布を算出する。
【０１４９】
また、さらに別の一例を示すと、各座標位置が参照点となっている時間（時間率）を求め、各座標位置におけるこの時間を積算し、各座標位置における参照時間の積算の結果から注目度分布を算出する。
【０１５０】
注目度分布生成部２０Ｂは、参照点合成部２０Ａで生成した参照点の軌跡に基づいて、注目度分布を算出することもできる。
【０１５１】
この一例として、医用画像に対する１つの参照点の軌跡データを、軌跡が進む方向と直交する方向に平滑化することによって注目度分布を生成する事が挙げられる。この平滑化処理は、例えば、平均化処理（平均化フィルタによる処理）の中でも、軌跡を最大とした重みがついた平均化処理が挙げられ、これは、例えば、ガウシアンフィルタ等による処理が挙げられる。
【０１５２】
図４は、医用画像に付与された参照点１点の軌跡に基づいて、処理部２０が注目度分布を生成する一例を示した略線図である。図４に示すように、まず、参照点合成部２０Ａで生成した参照点からなる軌跡１４０Ａが最大となるような値（度数値）を軌跡１４０Ａに付与する。
【０１５３】
次に、軌跡の進む方向に直交し、軌跡を挟んだ両方向に等しく拡がり、かつ拡がるにつれて小さくなる値を軌跡１４０Ａの周囲に付与する。これにより、参照点からなる軌跡１４０Ａは、軌跡の進む方向に直交する断面が、例えば、軌跡１４０Ａを中心点とする山型の正規分布１４０Ｄに平滑化される。
【０１５４】
正規分布１４０Ｄが拡がる方向の各位置には、軌跡１４０Ａを最大として、単調減少する連続値が付与される。これは、例えば、正規分布１４０Ｄの中心である軌跡１４０Ａに付与する値を「１０」とすると、正規分布１４０Ｄの中腹部１４０Ｂには「５」の値が付与され、正規分布１４０Ｄの裾部１４０Ｃには「１」の値が付与される。
【０１５５】
この処理を、所望の医用画像に対して付された参照点からなる軌跡全てにおいて行い、各位置座標における、この正規分布１４０Ｄの値を積算する。このとき、軌跡１４０Ａの交差部、屈曲部等の正規分布１４０Ｄが重なる部分も全て足し合わせることで注目度分布１４０Ｅを生成することができる。
【０１５６】
算出された注目度分布１４０Ｅによって、例えば、所望の医用カンファレンス開催中において参照された医用画像の特定の部位における注目度を知ることができる。
【０１５７】
また、医用画像に複数の軌跡１４０Ａ１〜１４０Ａ４（いずれも図示せず）が付与される場合について考える。この場合、軌跡１４０Ａ１〜１４０Ａ４毎に前述の処理を行なって正規分布１４０Ｄ１〜１４０Ｄ４（いずれも図示せず）を生成し、各位置座標における正規分布１４０Ｄ１〜１４０Ｄ４の値を積算することによって注目度分布を生成することができる。生成した注目度分布は、例えば、カンファレンスデータベース２００に、対応する医用画像に関連付けられて保管される。
【０１５８】
（注目位置特定部）
注目位置特定部２０Ｃは、医療情報取得部５０によって取得された医療情報に基づいてこの医療情報に対応する医用画像の関心位置を特定して、この関心位置に当該医療情報を関連付ける。また、注目位置特定部２０Ｃは、注目度分布生成部２０Ｂによって算出、生成した注目度分布に基いて、この関心位置に注目度を関連付ける。関心位置は、関心領域であってもよい。注目位置特定部は、関心領域の位置情報に基づいて、注目位置情報を求める。
【０１５９】
医療情報に対応する医用画像の位置の特定は、前述した医療情報に含まれる位置対応情報に基づいて行われる。医療情報は前述に挙げたものから適宜選択することが可能である。また、医用画像に付された、関心位置、関心領域の情報は、医用画像に付帯して記憶されていてもよいし、医用画像に対応する関心位置、関心領域の情報が記憶部７０等に別個に記憶されていてもよい。
【０１６０】
（アノテーション付与部）
また、処理部２０は、アノテーション付与部２０Ｄを含んで構成される。アノテーション付与部２０Ｄは、注目位置特定部２０Ｃにおいて特定された注目位置にアノテーションを付与する。
【０１６１】
アノテーション付与部２０Ｄは、例えば、医用カンファレンス開催中に表示された医用画像に対応する患者の過去の治療実施情報やカルテ情報等に基いて、診断・治療に関連し、かつ医用カンファレンス開催中に注目された画像領域にアノテーションを付与する。これにより、例えば、過去に治療を実施した部位に視線が多く集まっていれば、その部位に注目度を加味した治療マークが付与される。
【０１６２】
アノテーションは、注目位置における注目度の大きさを、例えば、アノテーションの大きさや色、形状で表現する事ができる。付与されたアノテーションは対応する医用画像と関連付けられて、例えば、記憶部７０、カンファレンスデータベース２００等に保存・共有される。このように保存・共有されることで、医用カンファレンスがＭＤＴミーティングの場合には、議事録としてＭＤＴメンバー等と共有することができる。
【０１６３】
（制御部）
制御部３０は、前述した、取得部１０と、処理部２０と、医療情報取得部５０とに対する制御を、例えば、後述する操作部４０の入力操作などを受けて実行する。また、コンピュータ１００の操作を、例えば、操作部４０の入力操作などを受けて実行する。
【０１６４】
（操作部）
操作部４０は、例えば、コンピュータ１００に所定の動作させるための操作入力をするためのものである。操作部４０は、例えば、制御部３０に対して操作入力を行う。
【０１６５】
（記憶部）
記憶部７０は、必要に応じて設けられ、記憶部７０には、例えば、前述した、注目位置の情報、アノテーション等が記憶される。また、医用画像に付された関心位置、関心領域の情報、これらと画像との対応情報が記憶されている。
【０１６６】
［医用情報処理システムの使用形態］
以上のような構成を有する医用情報処理システム１の使用形態について説明する。図５は、医用情報処理システム１の使用形態の一例を示すフローチャート、図６は、医用情報処理システム１の使用形態の他の一例を示すフローチャートである。
【０１６７】
図５に示すフローチャートは、医用カンファレンス開催中において、当該医用画像における注目位置と、この注目位置における注目度、関連情報等を表示する処理の流れを示したフローチャートである。この表示は、大型表示部５００ａ若しくは表示部１０５に一定頻度で更新されて行われる。また、この表示情報は必要に応じて保管される。
【０１６８】
図５に示す処理は、具体的には、医用画像に対する参照点を追跡し、参照点の追跡結果から生成された軌跡により注目分布を算出する。この算出結果から、医用画像の診断・治療部位特定情報に算出した注目分布を関連付けることで注目位置を特定する。
【０１６９】
この注目位置に所定の形状のアノテーションを付与して表示部に表示する。この表示は、例えば、一定時間毎に注目位置を算出して更新するようにしてもよいし、注目位置における注目度が所定の値となった場合に更新するようにしてもよい。
【０１７０】
コンピュータ１００は、操作部４０による操作入力によって医用画像を取得する。また、コンピュータ１００の制御部３０が画像取得部１０Ａを制御し、画像取得部１０Ａは、操作部４０の操作入力に基いて医用画像を取得する。
【０１７１】
操作部４０による操作入力は、例えば、画像取得部１０Ａに対して画像のＵＲＩ(Uniform Resource Identifier)を入力する。画像取得部１０Ａは入力されたＵＲＩに対して、ＳＱＬクエリやＴＣＰ通信等を用いて医用画像データベース４００Ａ等の記録媒体から検査画像を取得し、表示部に医用画像を表示する（ステップＳ００１）。
【０１７２】
次に、位置検出手段６００を用いて、表示部に表示された医用画像に対する参照点の追跡を開始する。位置検出手段６００は、参照点を追跡し追跡結果を参照位置取得部１０Ｂに出力する。位置検出手段６００は、前述に挙げたものを適宜選択して用いることができる（ステップＳ００２）。
【０１７３】
また、位置検出手段６００による参照点の追跡の際に、画像を拡大・縮小表示された場合には、この時の操作履歴等も取得し、参照位置取得部１０Ｂに出力する。また、このステップにおいて参照位置取得部１０Ｂに出力された情報は、例えば、カンファレンスデータベース２００にも同時に出力されることで保管される。
【０１７４】
参照点の追跡の一例として、位置検出手段６００によって、操作部４０の操作情報から表示部に表示されたマウスポインタの先を参照点としてその動きを追跡する。この場合、位置検出手段６００は、医用画像に対するマウスポインタの位置、画像にマウスポインタが指し示されている総時間、画像の所定の位置をマウスポインタが指し示している時間等を、例えば、参照位置取得部１０Ｂに出力する。
【０１７５】
参照点の追跡の別の一例として、位置検出手段６００をビデオカメラとして、参照者の画像に対する視線を参照点としてその動きを追跡する。この場合、位置検出手段６００は、参照者の画像に対する視線の位置、画像に視線が向けられている総時間、画像の所定の位置に視線が向けられている時間等を、例えば、参照位置取得部１０Ｂに出力する。
【０１７６】
参照点の追跡のさらに別の一例として、位置検出手段６００をビデオカメラとして、参照者の画像に対する指先を参照点としてその動きを追跡する。この場合、位置検出手段６００は、参照者が画像に対して指を指している位置、参照者が画像に対して指を指している総時間、参照者が画像の所定位置を指で指している時間等を同様にして参照位置取得部１０Ｂに出力する。
【０１７７】
参照点の追跡のさらに別の一例として、位置検出手段６００を光検出手段６００Ｃ、例えば、フォトトランジスタとして、レーザーポインタによって医用画像に照射されたレーザー光の照射位置を追跡する。この場合、位置検出手段６００は、画像におけるレーザー光の照射位置、画像にレーザーポインタが照射された総時間、所定の照射位置においてレーザーポインタの光が照射された時間等を同様にして参照位置取得部１０Ｂに出力する。
【０１７８】
また、画像取得部１０Ａにより取得された画像以外の情報（外部情報）を他のアプリケーション等で参照していた場合も、同様に追跡を続けてよい。
【０１７９】
制御部３０は、取得された画像の取り扱いが終了したと判断したときに、位置検出手段６００を強制終了させることで参照点追跡が終了する。（ステップＳ００３）。
【０１８０】
取得された画像の取り扱いを終了する場合としては、例えば、取得された画像の表示が閉じられる等によって消された場合、医用カンファレンスの終了時刻になった場合、位置検出手段６００によって時系列に連続して行われていた参照点の検出が途切れた場合、操作者が位置検出手段６００による参照点の追跡をキャンセルするコマンドを操作部４０によって入力した場合等が挙げられる。
【０１８１】
位置検出手段６００による参照点追跡の終了と共に処理部２０に含まれる注目度分布生成部２０Ｂは、注目度分布の一例である注目度マップを算出することで生成する。この注目度マップは、表示部に表示された全ての画像（例えば、外部情報を参照していた場合は外部情報も含む）に対して、ステップＳ００２で追跡した参照点の位置から算出する（ステップＳ００４）。
【０１８２】
注目度マップは、例えば、ヒートマップで表現される。ステップＳ００２で検出した参照点に基づいて、注目度分布の算出方法として前述した方法等を用いて算出することで生成する。
【０１８３】
この算出は、例えば、参照点合成部２０Ａで参照点からなる軌跡を算出した後に、前述したように、この軌跡に基づいて注目度分布生成部２０Ｂは注目度分布を算出する。この算出においては、注目度を単純に足し合わせるのではなく、画像の部位毎に重みを変えたり、画像中において体表領域以外を示す空気を示す部分は必ず注目度０となるなどの処理を加えたりしてもよい。
【０１８４】
算出された注目度マップは、例えば、対応する医用画像に関連付けられてカンファレンスデータベース２００に保存される（ステップＳ００５）。
【０１８５】
次に、医療情報取得部５０は、医用画像の付帯情報、医用画像に関連付けられた情報に基いて、当該医用画像における治療実施情報や、カルテ情報等を、医用情報データベース４００等から取得する。この場合、治療実施情報や、カルテ情報等に対応する、画像中の位置、部位等も併せて取得する。これにより、治療実施情報等と、これらの画像中の位置情報を含む診断・治療部位特定情報とが取得される。
【０１８６】
診断・治療部位特定情報とは、診断・治療に関連の強い部位を表す情報である。医療情報取得部５０は、当該医用画像における治療実施情報や、カルテ情報、これら対応付けられた医用画像上の位置等を、ＳＱＬクエリ、ＦＴＰ通信等を用いて取得する（ステップＳ００６）。
【０１８７】
次に、注目位置特定部２０Ｃは、ステップＳ００４において生成された注目度マップに基いて、例えば、画像中の最も注目度が高かった位置（領域）を注目領域（注目位置）として特定する。さらに、特定された位置に注目度マップから取得した注目度の値を関連付ける。
【０１８８】
この関連付けは、医用画像中の医療実施がされた位置である診断・治療部位において、注目度マップを重ね合わせることで、診断・治療部位における注目度を対応付ける。さらに、この診断・治療部位に医療実施情報、カルテ情報等を関連情報として対応付ける。
【０１８９】
さらに、この関連情報に重み付けを行い、注目度マップと関連情報とを用いて算出することで、新たに注目度を算出し、この注目度の値に基づいて注目位置（注目領域）を特定する（ステップＳ００７）。
【０１９０】
この算出は、例えば、両者を乗算して共通部分を抽出することによって求められる。つまり、注目領域（注目位置）は診断・治療部位と注目度マップの両方が重なった部分であり、注目度は注目度マップの値である。関連情報は、前述したように、診断・治療部位の特定に用いた治療実施情報、カルテ情報等である。
【０１９１】
次に、アノテーション付与部２０Ｄは、特定された注目領域（注目位置）に注目度と関連情報を加味したアノテーションを画像に対して付与する（ステップＳ００８）。
【０１９２】
付与されるアノテーションは、例えば、注目度をアノテーションの大きさで表現される。また、関連情報はテキストと、テキストへ付与された情報へのハイパーリンクで表現される。これらの情報は、表示部を制御する表示制御部等に出力され、表示部に表示された医用画像の注目位置にアノテーションと関連情報とが表示される（ステップＳ００９）。
【０１９３】
最後に、処理部２０は、アノテーションの付与された画像をキー画像として抽出するなどしてドキュメントを作成する。ドキュメントはメールやＴＣＰ通信、ＣＤへの書き込み等によって任意の場所に任意の形式で保存又は共有される（ステップＳ０１０）。
【０１９４】
図６に示すフローチャートは、医用カンファレンス終了後において、医用画像における注目位置と、この注目位置における注目度を表示部に表示し、必要に応じて保管する処理の流れを示したフローチャートである。医用画像は医用画像データベース４００Ａから取得され、この医用画像の注目位置は処理部２０において算出される。
【０１９５】
この処理は、具体的には、まず、医用画像に対する参照点を追跡し、追跡した参照点の軌跡から注目分布を算出する。次に、医用画像の診断・治療部位特定情報に算出した注目分布を関連付けることで注目位置を特定し、この注目位置に所定の形状のアノテーションを付与して表示部に表示する。
【０１９６】
医用カンファレンス開催中に、例えば、図５に示した処理が行われることで、カンファレンスデータベース２００には、画像の関連付け情報が保管される。この画像の関連付け情報は、位置検出手段６００による参照点の追跡結果及びそれに対応する画像の関連付け情報及び、注目度マップ及びそれに対応する画像の関連付け情報である。
【０１９７】
まず、画像取得部１０Ａが医用画像データベース４００Ａから医用画像を取得する。医用画像の取得は、操作部４０を介して、例えば、図５に示した処理のステップＳ００１と同様にして行うことができる（ステップＳ０２０）。
【０１９８】
次に、医療情報取得部５０は、図５に示した処理のステップＳ００５と同様にして、医用画像における治療実施情報、カルテ情報等である関連情報を、診断・治療部位特定情報とともに医用情報データベース４００等から取得する（ステップＳ０２１）。
【０１９９】
次に、参照点合成部２０Ａは、カンファレンスデータベース２００から、画像に対する参照点の追跡結果及びこれに対応する画像の関連付け情報を取得し、注目度マップを算出して生成する。注目度マップは、例えば、図５に示した処理と同様にして生成する（ステップＳ０２２）。
【０２００】
次に、注目位置特定部２０Ｃは、注目度分布生成部２０Ｂで生成した注目度マップと、
医療情報取得部５０からの関連情報及び診断・治療部位特定情報とを取得する（ステップＳ０２３）。
【０２０１】
ステップＳ０２４〜ステップＳ０２７の処理は、図５に示した処理のステップＳ００７〜Ｓ０１０と同様にして行う（ステップＳ０２４〜Ｓ０２７）。
【０２０２】
〈実施例１〉
実施例１は、この実施形態の図５に示したフローチャートに沿って、医用カンファレンス開催中に表示された医用画像の注目位置を特定する。この場合においては、１つの表示部に表示された医用画像を複数の医用カンファレンス参加者が参照する。
【０２０３】
図７は医用カンファレンス開催中に、コンピュータ１００Ａに接続されたディスプレイ２０１Ａに表示された医用画像を示したものである。この医用画像を以下において表示画像２０２Ａと称する。
【０２０４】
医用カンファレンスが開始されると、まず、操作者は、コンピュータ１００に備えられた、マウス、キーボード等を操作して、医用画像データベース４００Ａから医用画像を取得し、ディスプレイ２０１Ａに、図７に示すようなＣＴスキャンによる腹部断面画像を表示する。これは、図５に示した処理のステップＳ００１に対応する。
【０２０５】
図８は、表示画像２０２Ａに対する参照点２０３Ａ（２０３Ａ１）を示したものである。これは、図５に示した処理のステップＳ００２に対応する。
【０２０６】
図８に示すように、表示画像に対する参照点２０３Ａは、視線２０４Ａと表示面の交点２０３Ａ１、レーザーポインタによるレーザー２０５Ａの照射点２０３Ａ２等である。視線２０４Ａは、ディスプレイ２０１Ａの表示画面２０１Ｂと同じ向きに設けられた高解像度カメラ２０６などで検出、追跡される。
【０２０７】
レーザー照射点２０５Ａは、ディスプレイ２０１Ａに備えられたフォトトランジスタ等によって検出、追跡される。また、表示画像２０２Ａが拡大、縮小等の操作がされる場合には、その操作情報が履歴情報としてコンピュータ１００Ａに備えられたＨＤＤ等に保管される。
【０２０８】
図９は、表示画像２０２Ａに対する、各参照点の軌跡２０７ａを示したものである。
【０２０９】
図９に示した軌跡２０７ａは、コンピュータ１００Ａに予め保管された参照点合成プログラムにより、参照点の位置から参照点の動作軌跡を算出して生成される。算出された動作軌跡は、ディスプレイに表示される。
【０２１０】
軌跡２０７ａは、視線２０４Ａと表示画面２０１Ｂとの交点の軌跡、軌跡２０７ｂはレーザーポインタ照射による照射点の軌跡、軌跡２０７ｃは、表示画面２０１Ｂに対するジェスチャ動作の軌跡である。また、矩形の領域２２０は、画像の拡大操作が行われた領域である。
【０２１１】
図１０は、表示画面２０１Ｂにおいて表示画像２０２Ａに重畳して注目度マップ２０８Ａを表示したものである。
【０２１２】
図１０に示すように、注目度マップ２０８Ａは、注目度分布を示し、この分布は例えば、注目度０．０〜１．０の範囲を、点の密度、色等によって表現している。この注目度マップ２０８Ａは、例えば、軌跡２０７ａから、前述の図５に示した処理のステップＳ００３によって生成することができる。図９及び図１０において示したものは、図５に示した処理のステップＳ００３〜Ｓ００５に対応する。
【０２１３】
図１１は、放射線治療が行われたことを示す線量分布画像２３０Ａ及び２３０Ｂを、表示画像２０２Ａにオーバーレイ表示したものである。ここで、図１１に示す斜線部は、治療に用いた放射線量の大きさを示すものであって断面を示すものではない。
【０２１４】
図１１に示すように、線量分布画像２３０Ａ及び２３０Ｂのうち、斜線で示された部分は放射線治療に有効な放射線量を有する部分である。また、斜線で示される領域のうち、二重線の斜線で示される領域は特に線量が高い高線量放射領域である。また、線量分布画像２３０Ａ及び２３０Ｂのうち、斜線で示されない領域は、放射線治療には適用できない低線量放射領域を示す。
【０２１５】
図１２は、表示画面２０１Ｂにおいて、表示画像２０２Ａにアノテーション２１０ａがオーバーレイ表示された位置である、診断・治療に関連の強い部位２１０Ａを示したものである。診断・治療に関連の強い部位の情報は、外部から取得した診断・治療部位特定情報に含まれる。図１１及び図１２において示したものは、図５に示した処理のステップＳ００６に対応する。
【０２１６】
診断・治療部位特定情報の一例としては、図１１に示すような患者の特定部位に対する放射線治療が挙げられる。表示画像２０２Ａにおいて、放射線治療が行われた位置を取得する場合には、例えば、放射線治療実施後に得られた線量分布画像２３０Ａ及び２３０Ｂを患者の検査画像である表示画像２０２Ａに位置合わせして取得する。これにより、放射線治療に有効な放射線量を有する部分と交差した矩形の領域２３０Ｃが治療された部位であることがわかる。その部位が診断・治療に関連の強い部位として特定される。
【０２１７】
また、診断・治療部位特定情報の他の一例としては、図１２に示すように、カルテに含まれる診断レポートの所見文を用いるものが挙げられる。例えば、『門脈右前上区域枝に○○の疑い』という文章が所見文に含まれている場合、構文解析により、門脈右前上区域枝が患者の診断に関連の強い部位であることがわかる。
【０２１８】
検査画像に対して解剖構造解析等の画像処理を施すことで、門脈右前上区域枝が検査画像のどの位置に該当するかがわかり、当該画像に対する、診断・治療に関連の強い部位２１０Ａの位置が特定される。診断・治療に関連の強い部位２１０Ａの位置は、この場合門脈右前上区域枝である。
【０２１９】
図１３は、図１０において示した注目度マップ画像と、図１１及び図１２において示した診断・治療部位特定情報とを関連付ける様子を示したものである。図１４は、この関連付けがされることで医用画像の注目位置が特定され、この注目位置にアノテーションが付与された様子を示すものである。これは、図５において示した処理のステップＳ００７に対応する。
【０２２０】
図１３に示すように、関連付けは、注目度マップ画像と診断・治療に関連の強い部位の画像とを合成処理２６０で合成して、さらに共通部分を抽出することで行う。これにより、注目位置が特定される。また、図１４に示すように、アノテーション２１１ａ及び２１２ａが付された注目位置２１１Ａ及び２１２Ａは、図１１及び図１２において示した診断・治療に関連の強い部位２０９Ａ及び２１０Ａと対応している。
【０２２１】
また、注目位置には、医療情報等の関連情報が関連付けられている。例えば、表示画面２０１Ｂには、注目位置を示すアノテーションの近傍に、関連情報が表示される。この関連情報は、例えば、注目度の値、治療実施情報、カルテ情報等で構成される。
【０２２２】
関連情報の例として、診断・治療に関連の強い部位２０９Ａに対応する注目位置２１１Ａに関連付けられる関連情報は、「注目度：０．９(注目度マップの当該位置の値を取得)  関連情報：○月×日に放射線治療を行ったという情報」である。また、診断・治療に関連の強い部位２１０Ａに対応する注目位置２１２Ａに関連付けられる関連情報は、「注目度：０．２(注目度マップの当該位置の値を取得)  関連情報：検査レポートで○○の疑いがあると指摘されたという情報」である。
【０２２３】
図１５は、医用画像における注目位置にアノテーションが付与され、このアノテーションに関連情報が関連付けられている一例を示したものである。これは、図５に示した処理のステップＳ００７及びステップＳ００８に対応する。
【０２２４】
図１５に示すように、表示画像における複数の注目位置のそれぞれには、異なる態様のアノテーションが付与されている。注目位置２１１Ａに付与されたアノテーション２１１ａは太線で示されており、注目位置２１２Ａに付与されたアノテーション２１２ａは、細線で示されている。
【０２２５】
アノテーションの線の太さは、例えば、対応する注目位置における注目度に比例している。つまり、注目位置２１１Ａは注目度が高いため、アノテーション２１１ａを太線で描画し、注目位置２１２Ａは注目度が低いため、アノテーション２１２ａを細線で描画する。
【０２２６】
注目度の高低の表現は、例えば、アノテーションの大きさ、形状、色等で表現してもよい。また、注目度の高低の判断は、同じ画像上における注目度の値の相対的な比較によるものであってもよいし、所定の注目度の値に対応して予め設定された注目度の絶対的な比較によるものであってもよい。また、アノテーション２１１ａ、アノテーション２１２ａをクリック等することで、これらに関連付けられている関連情報を、例えば、表示画像２０２Ａにオーバーレイ表示させることができる。
【０２２７】
また、注目位置に関連付けられる関連情報をアイコン等で表現してもよい。注目位置２１１Ａに関連付けられた関連情報は、医療実施情報であるので、例えば、治療マーク２１１ｂを、治療実施日付、治療実施概要が記載されたテキストとともに付与し、これをディスプレイに表示することができる。この治療マーク２１１ｂは、例えば、治療実施情報へのリンクになっており、この治療マーク２１１ｂをクリックすることで実際の線量分布画像が開く。
【０２２８】
また、注目位置２１２Ａに関連付けられた関連情報は、カルテ情報であるので、例えば、医用画像にカルテマーク２１２ｂを、カルテ作成の日付及び前述のカルテの構文解析の結果が記載されたテキストとともに付与する。さらに、これをディスプレイに表示することができる。このカルテマーク２１２ｂは、例えば、カルテ情報へのリンクになっており、このカルテマーク２１０ｃをクリックすることで実際のカルテが開く。
【０２２９】
作成された注目位置にアノテーションと関連情報とが関連付けられた医用画像は、印刷やメールなどで共有されるが、例えば、会議の議事録などと共に共有されてもよい。この時、議事録は医用カンファレンス開催中に医療秘書などが作成するものとする。
【０２３０】
注目位置にアノテーションと関連情報とが関連付けられた医用画像を用いて作成された、ドキュメント２５０Ａを図１６に示す。これは、図５に示した処理のステップＳ００９に対応する。
【０２３１】
図１６に示すように、ドキュメント２５０Ａの左側の欄には、例えば、医用カンファレンスの議事録２５０Ａ１等が表示され、右側の欄には、医用カンファレンス開催中に参照された医用画像２５０Ａ２ａ〜２５０Ａ２ｃが表示されている。この医用画像２５０Ａ２ａ〜２５０Ａ２ｃには、それぞれの注目位置にアノテーションと関連情報とが関連付けられている。
【０２３２】
［医用情報処理システムの作用・効果］
次に、この実施形態の医用情報処理システム１の作用及び効果について説明する。
【０２３３】
この実施形態の医用情報処理システム１は、コンピュータ１００と、コンピュータ１００に接続された表示部１０５と、カンファレンスデータベース２００と、医用情報データベース４００と、位置検出手段６００とを含んで構成されている。コンピュータ１００は、取得部１０と、処理部２０と、制御部３０と、操作部４０と、医療情報取得部５０と、必要に応じて記憶部７０とを含んで構成されている。
【０２３４】
医用情報処理システム１は、医用カンファレンス開催中おいて、医用画像が、例えば、表示部に表示された時に、その医用画像の注目位置を算出する。この算出によって、当該医用画像における注目位置と、この注目位置における注目度、関連情報等を生成して表示部に表示し、必要に応じて保管する。
【０２３５】
従来における、ＭＤＴミーティング等の医用ミーティングでは、毎回必ず議事録が作成されるわけではなく、また作成されたとしても会議の結論のみ記載されており、医用ミーティング欠席者が議事録から議論の文脈を捉えることは難しかった。また、従来はミーティング資料が印刷された紙媒体へ書き込みを行いながら議論を行なっていたが、医療情報の電子化が進んだことで議論の過程(説明しながら又は説明を聞きながら書いた文章や絵など)を書き込む（記録する）ケースが少なくなった。
【０２３６】
一方で、この実施形態の医用情報処理システム１によれば、医用カンファレンス開催中において、ミーティング参加者が参照する表示部に医用画像が表示された時に、その医用画像の注目位置が算出される。さらに、当該医用画像における注目位置と、この注目位置における注目度、関連情報等を表示部に表示し、必要に応じて保管する。
【０２３７】
これにより、例えば、ＭＤＴミーティングにおいて診断・治療に関連し、かつ、注目された領域を容易に認識でき、医用カンファレンス開催中に議論された対象部位がわかる。これは、ＭＤＴミーティングで議論される内容が、患者の診断や治療に関するものが殆どであるためである。
【０２３８】
さらに、ミーティング欠席者は、議事録と共に送付された画像とアノテーションを確認することで、議論の文脈を捉えることが出来る。その結果、医用カンファレンスを欠席しても、次回の医用カンファレンス時に前回の医用カンファレンスの議論内容を踏まえた深い議論ができる。
【０２３９】
さらに、研修医にとっては共有された議論内容から、ベテラン医師の診断・治療方法を学ぶことができる。また、医療画像に対して参加者が注目した領域を明示的に保存し、ミーティング欠席者と共有することで、欠席者は医用ミーティングに参加できなくても議論の内容を知ることができる。
【０２４０】
＜第２実施形態＞
［医用情報処理システム］
第２実施形態に係る医用情報処理システム１について図面を参照しながら説明する。この医用情報処理システム１は、第１実施形態の医用情報処理システム１において中央端末（主クライアント：コンピュータ１００）に接続される一般端末（副クライアント：一般端末３００）を備えている。一般端末のそれぞれに備えられた表示部には、医用画像が表示されている。位置検出部は表示された医用画像に対する参照者の参照点を追跡して、処理部は、この追跡結果に基いて特定したアノテーションを付加する。また、処理部は、この追跡結果に基いて参照者の属性ごとに注目位置を特定し、この注目位置にアノテーションを付加する。アノテーションが付加された医用画像は必要に応じて表示部に表示される、又は記憶手段等に記憶される。
【０２４１】
［医用情報処理システムの装置構成］
まず、図１７〜図１９を参照して、この実施形態に係る医用情報処理システムの装置構成について説明する。ここで、図１７は、この実施形態に係る医用情報処理システム１の全体構成を示す。図１８は、この医用情報処理システム１のハードウェア構成を示す。図１９は、この医用情報処理システム１の機能的構成を示す。なお、図１７、図１８に示す構成は、図１９に示す機能的構成を実現するためのハードウェア構成の一例を示すものである。
【０２４２】
［全体構成］
図１７は、この実施形態の医用情報処理システム１の全体構成を示した図である。
【０２４３】
図１７に示すように、医用情報処理システム１は、医用情報処理装置であるコンピュータ１００を中心として構成されている。
【０２４４】
コンピュータ１００には、カンファレンスデータベース２００と、医用情報データベース４００と、プロジェクター等の大型表示装置５００と、無線アクセスポイント１１７とが接続されている。
【０２４５】
カンファレンスデータベース２００は接続線Ｌ１を介してコンピュータ１００に接続されている。医用情報データベース４００は接続線Ｌ２を介してコンピュータ１００に接続されている。プロジェクター等の大型表示装置５００は接続線Ｌ３を介してコンピュータ１００に接続されている。無線アクセスポイント１１７は接続線Ｌ４を介してコンピュータ１００に接続されている。
【０２４６】
コンピュータ１００には、さらに、無線アクセスポイント１１７を介して、少なくとも１つの一般端末３００が接続されている。また、コンピュータ１００には、必要に応じてインターネット等のネットワークＮを介してサーバ７００が接続されている。
【０２４７】
〔コンピュータ〕
コンピュータ１００は、例えば、一般端末３００が複数接続される場合には中央端末としての役割を有する。この場合、コンピュータ１００は、例えば、複数の一般端末３００から送受信された情報を処理することで、医用カンファレンスにて参照した医用情報、それに基づく議論の内容などを、例えば、カンファレンスデータベース２００等に保存することができる。
【０２４８】
この実施形態において、コンピュータ１００は、第１の端末、一般端末３００は第２の端末を構成する。コンピュータ１００の、具体的な例としては、医療機関内のカンファレンス室に設置されたコンピュータ装置が挙げられる。以下、コンピュータ１００を主クライアントと呼ぶことがある。
【０２４９】
〔一般端末〕
一般端末３００は、例えば、会議中心者と複数の一般参加者とによる医用カンファレンスにおいて、一般参加者が使用する端末をいう。一般端末３００は、例えば、各種の情報端末機器が挙げられ、この中でも携帯情報端末機器であることが挙げられる。一般端末３００は、前述したように中央端末であるコンピュータ１００に接続されている。
【０２５０】
一般端末３００とコンピュータ１００との接続形態は、有線を介する接続であっても、無線による接続であってもよい。無線接続の形態は、例えば、コンピュータ１００に接続された無線アクセスポイント１１７（親機）を介して、一般端末３００（子機）が無線で通信をするインフラストラクチャモードであることが挙げられる。無線の通信は、各種の無線通信規格に準拠した無線通信手段により構成されることが挙げられる。以下、一般端末３００を副クライアントと呼ぶことがある。
【０２５１】
〔サーバ〕
また、コンピュータ１００は、例えば、インターネット等のネットワークＮを介してサーバ７００に接続されている。サーバ７００は、例えば、医学分野の論文や記事等の文献や画像等の電子データが格納されており、必要に応じてページ化されている。サーバ７００に格納された電子データは、引き出し可能に構成されている。また、一般端末３００はインターネット等のネットワークＮを介してコンピュータ１００に接続されていてもよい。
【０２５２】
サーバ７００はインターネット上のサーバであって、コンピュータ１００等のコンピュータ端末からの要求を受けて当該電子データを、インターネット等のネットワークＮを通じて提供する。
【０２５３】
この実施形態の医用情報処理システム１における、前記全体構成以外の構成は、第１実施形態と同様である。
【０２５４】
［ハードウェア構成］
次に、後述する機能を実現するための、医用情報処理システム１（主としてコンピュータ１００）のハードウェア構成について図１８を参照しつつ説明する。
【０２５５】
一般端末３００は、コンピュータ１００と同様な構成を有しており、マイクロプロセッサ、主記憶装置、外部記憶装置、コンソール、通信インターフェイス、無線通信インターフェイス（いずれも図示せず）を必要に応じて含むことで構成される。
【０２５６】
一般端末３００としては各種の情報端末機器が挙げられる。各種の情報端末機器としては、例えば、デスクトップコンピュータ、ラップトップコンピュータ等が挙げられる。また、情報端末機器の中でも、例えば、携帯情報端末機器であれば、例えば、ＰＤＡ、タブレット端末、携帯電話、スマートフォン等が挙げられる。一般端末３００は、例えば、無線通信インターフェイス（Ｉ／Ｆ）を介してコンピュータ１００に接続されてもよいし、有線通信である通信インターフェイス（Ｉ／Ｆ）を介して接続されてもよい。
【０２５７】
通信インターフェイス（Ｉ／Ｆ）１０８は、ＬＡＮカード等のネットワークアダプタ（ＮＩＣ）や、インターネットに接続するためのモデムなどの任意の通信装置を含んで構成される。
【０２５８】
コンピュータ１００は、通信インターフェイス（Ｉ／Ｆ）１０８によってカンファレンスデータベース２００、医用情報データベース４００にアクセスする。また、コンピュータ１００は、必要に応じて、無線通信インターフェイス（Ｉ／Ｆ）１０７を介して一般端末３００に接続することもできる。また、一般端末３００に必要に応じて備えられる通信インターフェイス（Ｉ／Ｆ）は、通信インターフェイス（Ｉ／Ｆ）１０８と同様にして構成される。
【０２５９】
無線通信インターフェイス（Ｉ／Ｆ）１０７は、コンピュータ１００と一般端末３００とを少なくとも接続するインターフェイスである。
【０２６０】
無線通信インターフェイス（Ｉ／Ｆ）１０７は、例えば、図１８に示すように、通信インターフェイス（Ｉ／Ｆ）１０８を介して、コンピュータ１００、カンファレンスデータベース２００、医用情報データベース４００などと通信を行う。
【０２６１】
無線通信インターフェイス（Ｉ／Ｆ）１０７の通信形態は、例えば、端末、機器が並列に通信するアドホックモードであってもよいし、また、例えば、コンピュータ１００を親機として、端末、機器を子機としたインフラストラクチャモードであってもよい。
【０２６２】
無線通信インターフェイス（Ｉ／Ｆ）１０７としては、ＩＥＥＥ  ８０２．１１シリーズ、ＩＥＥＥ  ８０２．１５シリーズ等に準拠した無線ＬＡＮ等が挙げられる。また、一般端末３００に必要に応じて備えられる無線通信インターフェイス（Ｉ／Ｆ）は、無線通信インターフェイス（Ｉ／Ｆ）１０７と同様にして構成される。
【０２６３】
これらに示した通信インターフェイスは、例えば、コンピュータ１００の表示部１０５に表示された画像と、一般端末３００の表示部３０７に表示された画像とを、後述する同期部によって同期させるようにして制御される。
【０２６４】
一般端末３００に含まれるコンソールには、コンピュータ１００のコンソールと同様に、表示部３０７と操作部３０８とを含んで構成される。表示部３０７は、一般端末３００が携帯情報端末機器である場合には、ＬＣＤディスプレイ、有機ＥＬ（ＯＬＥＤ）ディスプレイ、電子ペーパーなどの所謂薄型ディスプレイが適宜用いられる。また、表示部３０７は、例えば、一般端末３００に含まれる表示制御部３０７ａによって表示が制御される。
【０２６５】
医用カンファレンス開催中に大型表示部５００ａに表示される医用画像などの医用情報は、例えば、後述する同期部によって表示部１０５及び一般端末３００の表示部３０７にも同時に送信される。このことにより、一般端末３００の表示部３０７には、大型表示装置５００と同様なものが表示されるが、一般端末３００の操作者による操作によって別の医用情報を表示することもできる。
【０２６６】
この別の医用情報は、例えば、当該カンファレンス内において表示された医用情報、インターネット等のネットワークＮを介して表示された医用情報等が挙げられる。
【０２６７】
操作部３０８は、コンピュータ１００に含まれる操作部として前述したものを適宜選択することができる。また、表示部３０７は、操作部３０８を含んだものであってもよく、これは、例えば、タッチパネルディスプレイが挙げられ、人間の指、タッチペンなどによって操作される。
【０２６８】
この実施形態の医用情報処理システム１における、前記ハードウェア構成以外の構成は、第１実施形態と同様である。
【０２６９】
［医用情報処理システムの機能的構成］
次に、この実施形態の医用情報処理システム１の機能的構成の一例について図１９を参照しつつ説明する。
【０２７０】
図１９に示すように、この医用情報処理システム１は、第１の実施形態の医用情報処理システム１のコンピュータ１００に接続された複数の一般端末３００を備える。
【０２７１】
一般端末３００には、処理部３２０を備える。この処理部３２０は、参照位置取得部３２１を少なくとも含む。また、コンピュータ１００と一般端末３００とには、両者を同期させる同期部１２１及び３３１がそれぞれに備えられている。以下、これら各部の詳細をそれぞれ説明する。
【０２７２】
〔コンピュータ〕
コンピュータ１００には、同期部１２１を備えた送受信部１２０と認証手段とを備える。
【０２７３】
（送受信部）
送受信部１２０は、一般端末３００に備えられた送受信部３３０とで送受信することで、コンピュータ１００と一般端末３００との間で情報のやり取りを行う。送受信部１２０は、無線によって送受信することで情報のやり取りをするものが挙げられる。また、例えば、有線によって送受信することによって情報のやり取りをするものであってもよい。
【０２７４】
（同期部）
送受信部１２０には、同期部１２１が備えられており、一般端末３００の送受信部３３０に備えられた同期部３３１と同期させる。この同期によって、同期部１２１は、大型表示部５００ａに表示される医用画像等の表示情報を、同期部３３１に転送する。これにより、コンピュータ１００に接続された大型表示装置５００による表示と同じ情報を一般端末３００の表示部３０７に、例えば、同じタイミングで表示させることができる。
【０２７５】
また、コンピュータ１００は、リモートプロシージャコールによって一般端末３００を遠隔操作することで、大型表示部５００ａに表示される情報と同じ情報を一般端末３００の表示部３０７に、例えば、同じタイミングで表示させることができる。
【０２７６】
〔一般端末〕
一般端末３００は、表示部３０７、表示制御部３０７ａ及び操作部３０８に加えて、処理部３１４と照合部３１５とを有する。処理部３１０は、例えば、操作部３０８による入力操作により各種情報を処理する。照合部３１１は、例えば、操作部３０８によって入力されたログイン情報を、主記憶装置３０２内に格納されている情報と照合し認証する。この認証により、一般端末の操作者が特定される。
【０２７７】
（送受信部）
送受信部３３０は、コンピュータ１００に備えられた送受信部１２０とで送受信する。これにより、コンピュータ１００と一般端末３００との間で情報のやり取りを行うことができる。送受信部３３０は、例えば、無線によって送受信することで情報のやり取りが可能な構成を有するものが挙げられる。また、例えば、有線によって送受信することで情報のやり取りが可能な構成を有するものであってもよい。また、送受信部３３０は、他の一般端末３００の送受信部３３０と、コンピュータ１００介さずに通信することもできる。
【０２７８】
（同期部）
送受信部３３０には、同期部３３１が備えられている。同期部３３１は、コンピュータ１００の送受信部１２０に備えられた同期部１２１と同期させることによって、コンピュータ１００に接続された大型表示装置５００による表示と同期させることができる。ここで、同期とは、例えば、大型表示装置５００による表示と同じ情報を同じタイミングで一般端末３００の表示部３０７に表示することをいう。
【０２７９】
（認証手段）
認証手段（図示せず）は、一般端末３００の操作の諾否、コンピュータ１００への接続の諾否等の認証を行う。この認証としては、例えば、ユーザー認証が挙げられる。ユーザー認証は、一般端末３００に操作部３０８等によってユーザー、パスワード等が入力され、認証手段によって、ユーザーとパスワード等が付き合わされることで認証がされる。
【０２８０】
この認証により、一般端末３００の操作が可能となったり、一般端末３００からのコンピュータ１００への接続が可能となったりする。さらに、この認証手段による認証によって、ユーザーが指定されることで一般端末３００を操作する操作者の特定が可能となる。
【０２８１】
また、一般端末３００のＭＡＣアドレス等の機器情報によって、一般端末３００からのコンピュータ１００への接続の認証をしてもよい。また、認証手段と同様に構成された認証手段（図示せず）が、コンピュータ１００にも設けられている。
【０２８２】
（位置検出手段）
位置検出手段６００は、第１実施形態において述べたものと同様な構成を備える。また、位置検出手段６００は、例えば、第１実施形態において述べたものと同様な方法で、表示部３０７に対する参照点を検出することができる。また、図中の破線部は、位置検出手段６００に大型表示装置５００から非接触で情報が入力される経路を示している。
【０２８３】
位置検出手段６００のうちの録画手段６００Ａの一例として、装着者の視線追跡が可能なヘッドアップディスプレイが挙げられる。このヘッドアップディスプレイは、医用カンファレンス開催中において、ヘッドアップディスプレイの表示部３０７に擬似的に医用画像が表示されている。表示部３０７は透過可能な透明体で構成されているので、大型表示部５００ａに表示された医用画像も参照することができる。ヘッドアップディスプレイは、装着者の視線を追跡可能なように設けられている。この場合の装着者は参照者である。
【０２８４】
（属性情報取得部）
属性情報取得部１０Ｃは、認証手段による認証によって特定された操作者の属性を取得する属性情報取得手段である。この場合、操作者は、一般端末３００の表示部３０７に表示された医用画像に注目する参照者とみなすことができる。属性情報取得部１０Ｃには、例えば、属性照合リストが予め記憶されている。
【０２８５】
属性照合リストは、例えば、ミーティングの参加者（会議中心者、一般参加者等）の属性情報が含まれている。ここで、医用カンファレンスの参加者の属性とは、医用カンファレンスの参加者の、例えば、役割、熟練度、信用度、決定権等が挙げられる。属性情報は、前記に挙げたものから必要に応じて適宜選択することができる。
【０２８６】
属性情報の取得は、医用情報データベース４００等に保存されている医師・職員情報と、一般端末３００に備えられた認証手段から取得した認証情報とに基づいて、副クライアントを操作した操作者の属性を取得する。医師・職員情報には、所有している副クライアントの端末ＩＤと、氏名、属性（役割、熟練度、信用度、決定権）等が含まれている。
【０２８７】
属性情報取得部１０Ｃは、例えば、操作した副クライアントのデバイスＩＤ、ＭＡＣアドレス等を医師・職員情報で照合して操作者の属性を取得する。この場合、属性情報取得部１０Ｃは、属性情報に併せて、操作した副クライアントのデバイスＩＤ、ＭＡＣアドレス等も取得する。
【０２８８】
（属性情報）
前述したように、医用カンファレンスの参加者の属性とは、医用カンファレンスの参加者の、例えば、役割、熟練度、信用度、決定権等が挙げられる。以下に、取得される属性情報について説明する。
【０２８９】
・役割
医用カンファレンスの参加者の役割としては、医用カンファレンスの参加者の、例えば、（社会的）地位、（社会的）立場、職種、職名、職位等が挙げられる。具体的には、医師（内科医、外科医、放射線科医、病理専門医等）、看護師等が挙げられる。
【０２９０】
・熟練度
医用カンファレンスの参加者の熟練度とは、例えば、操作者の医学的技術の熟練度をいう。これは、例えば、診断の熟練度、処置の熟練度、手術の熟練度、これらの経験年数等が挙げられる。
【０２９１】
・信用度
医用カンファレンスの参加者の信用度とは、例えば、操作者の医学的技術の信用度のみならず、例えば、人格的な信用度等も含む。
【０２９２】
・決定権
医用カンファレンスの参加者の決定権とは、例えば、患者の治療方針に対する決定権をいう。この決定権を有するものは、例えば、主治医、家族、本人等が挙げられ、このとき、決定権の重さは、例えば、本人、家族、主治医の順となる。また、決定権の有無にかかわらず、医用カンファレンスの参加者を決定権の重さの順に並べてもよい。
【０２９３】
〔制御部〕
制御部３０は、第１実施形態で示したものに加えて、コンピュータ１００と一般端末３００との通信制御を行う。この通信制御は、両端末のそれぞれから制御部３０に入力される送信、受信の依頼を受けて行われる。また、制御部３０は、同期部１２１を制御する。
【０２９４】
制御部３０は、コンピュータ１００と一般端末３００とに送信される情報が同期するように制御してもよい。その場合、同期部１２１は、制御部３０に置き換えられる。
【０２９５】
この実施形態の医用情報処理システム１における、前記機能的構成以外の構成は、第１実施形態と同様である。
【０２９６】
［医用情報処理システムの使用形態］
以上のような構成を有する医用情報処理システム１の使用形態について説明する。図２０は、医用情報処理システム１の使用形態の一例を表している。
【０２９７】
図２０に示すフローチャートは、大型表示部５００ａと一般端末３００の表示部３０７とにそれぞれ表示された医用画像に対する参照位置である参照点の位置を、ネットッワークを介して収集する。さらに、収集した参照点の位置と、医用画像への参照者の属性とから医用画像上の注目位置を算出する処理の流れを示したフローチャートである。この場合、大型表示装置５００の大型表示部５００ａ等の表示部に表示された医用画像が、一般端末３００の表示部３０７に表示された医用画像に同期させて表示されている。
【０２９８】
この処理は、具体的には、大型表示部５００ａと表示部３０７とに表示された医用画像の、それぞれに対する参照点をそれぞれの機器において追跡する。各医用画像への参照点の追跡結果、すなわち参照点の位置は、ネットワークを介して収集される。さらに、これらの医用画像への参照者の属性をそれぞれ特定し、各追跡結果のそれぞれに属性によって重みを付け、これらの各追跡結果を合成して注目度マップを算出する。この注目度マップと医療情報とを関連付けることで注目位置を特定し、この注目位置に所定の形状のアノテーションを付与して表示部に表示する。
【０２９９】
主クライアントであるコンピュータ１００は、操作部４０による操作入力によって医用画像を取得する。医用画像の取得は、制御部３０が画像取得部１０Ａを制御することで行われる。制御部３０は、例えば、操作部４０の操作入力に基いて画像取得部１０Ａを制御して医用画像を取得する。
【０３００】
操作部４０による操作入力は、例えば、画像取得部１０Ａに対する画像のＵＲＩ(Uniform Resource Identifier)である。画像取得部１０Ａは入力されたＵＲＩに対して、ＳＱＬクエリやＴＣＰ通信等を用いて、医用画像データベース４００Ａ等の記録媒体から検査画像を取得し、表示部に医用画像を表示する（ステップＳ０４０）。
【０３０１】
次に、主クライアントと、副クライアントである一般端末３００とを同期を行う。この同期にはまず、副クライアントの位置情報(ＧＰＳやＷｉＦｉタグなど)やＮＦＣ(near field communication)などを用いて、主クライアントの同期部が、医用カンファレンスに参加している副クライアントを認識する。この同期は、例えば、テレビ会議などで遠隔地から医用カンファレンスに参加する場合、会議開始時に自ら参加登録するなどの対応をすることで行われる。
【０３０２】
認識に成功した副クライアントが１台以上存在する場合、主クライアントは取得した画像を各種の通信方法(ＴＣＰ通信など)を用いて副クライアントに配信する。この配信は、主クライアントの表示部において表示又はメモリ上に保持している画像情報と副クライアントで表示又は保存されている画像情報の同期をすることによって行われる（ステップＳ０４１：ＹＥＳ、ステップＳ０４２）。
【０３０３】
次に、位置検出手段６００を用いて主クライアントに備えられた表示部と副クライアントに備えられた表示部とに、それぞれに表示された医用画像に対する参照点の追跡を開始する。位置検出手段６００は、主クライアント、副クライアントのそれぞれに設けられた表示部への参照点をそれぞれ追跡可能に設けられている。これは、例えば、主クライアント、副クライアントのそれぞれに位置検出手段６００が設けられていることが挙げられる。
【０３０４】
主クライアント及び副クライアントのそれぞれに設けられた位置検出手段６００は、主クライアント及び副クライアントに設けられた表示部のそれぞれにおいて参照点を追跡する。この追跡は、第１実施形態の図５において示した処理のステップＳ００２と同様にして行うことができる。
【０３０５】
位置検出手段６００による参照点の取得は、前記に挙げたものを適宜選択して用いることができ、例えば、ビデオカメラによる視線追跡、画像拡大履歴の記録、マウスやタッチパネルの操作の追跡等を用いることができる。
【０３０６】
また、副クライアントで参照点追跡中に外部情報の参照(ＷＥＢページを閲覧するなど)があった場合、その外部情報に対しても参照点を追跡する。外部情報が参照されている場合には、外部情報の参照履歴表に情報源を書き込む（ステップＳ０４３）。
【０３０７】
外部情報の参照履歴表は、例えば、副クライアントに備えられた保管部３４０に保管されている。副クライアントで参照点追跡が終了した場合、副クライアントの同期部は、参照点追跡結果に加えて、副クライアントの端末ＩＤ等を主クライアントに送信する（ステップＳ０４４）。この場合、終了条件は主クライアントと同様である。副クライアントの端末ＩＤは、例えば、副クライアントのＭＡＣアドレス、機器の個体識別番号（ＵＤＩＤ、ＵＵＩＤ、ＵＩＩＤ等）等が挙げられる。
【０３０８】
副クライアントに備えられた表示部に対する参照点の追跡時に、外部情報が参照されていた場合、外部情報に対する参照点追跡結果と、外部情報の参照履歴も同様に主クライアントへ送信される（ステップＳ０４５）。
【０３０９】
次に、主クライアントに備えられた属性情報取得部１０Ｃは、医用情報データベース４００等に保存されている医師・職員情報と、各副クライアントから取得した認証情報とに基づいて、副クライアントを操作した操作者の属性を取得する。
【０３１０】
医師・職員情報には、所有している副クライアントの端末ＩＤと、氏名、属性（役割、熟練度、信用度、決定権）等が含まれている。
【０３１１】
属性情報取得部１０Ｃは、例えば、操作した副クライアントのデバイスＩＤ、ＭＡＣアドレス等を医師・職員情報で照合して操作者の属性を取得する。この場合、属性情報取得部１０Ｃは、属性情報に併せて、操作した副クライアントのデバイスＩＤ、ＭＡＣアドレス等も取得する（ステップＳ０４８）。
【０３１２】
次に、各クライアント（主クライアント、副クライアント）で取得した参照点の追跡結果に基いて、注目度マップを生成する。注目度マップの生成は、第１実施形態の図５において示した処理のステップＳ００３と同様に行うことができる。
【０３１３】
１の医用画像に対して複数の参照者によって参照点が与えられる場合には、例えば、参照者の属性毎に注目度マップを生成することができる。このとき処理部２０は、各クライアントに表示された表示画像に対する参照点の軌跡を属性毎に収集して、属性毎の注目度マップを生成する（ステップＳ０４９）。
【０３１４】
属性毎に作成された注目度マップは、必要に応じてカンファレンスデータベース２００等の記憶部に保存される（ステップＳ０５０）。属性は、前記に挙げたものから適宜選択することができるが、好適には、例えば、職種が選ばれる。
【０３１５】
次に、医療情報取得部５０は、医用画像の付帯情報、医用画像に関連付けられた情報から、当該医用画像における治療実施情報や、カルテ情報等を、医用情報データベース４００等から取得する（ステップＳ０５１）。これは、例えば、第１実施形態の図５において示した処理のステップＳ００５と同様にして行うことができる。
【０３１６】
次に、注目位置特定部２０Ｃは、ステップＳ００３において算出された注目度マップに基いて、例えば、画像中の最も注目度が高かった位置（領域）を注目領域（注目位置）と特定する。この特定された位置に注目度マップから取得した注目度の値を関連付ける（ステップＳ０５２）。これは、例えば、第１実施形態の図５において示した処理のステップＳ００６と同様にして行うことができる。
【０３１７】
次に、アノテーション付与部２０Ｄは、特定された注目領域（注目位置）に注目度と関連情報を加味したアノテーションを画像に対して付与する（ステップＳ０５３）。
【０３１８】
画像の局所領域と外部情報との関連性が強い場合に、例えば、この領域を注視した後に外部情報を参照し、その後再度この領域を注視したことを検出するなどにより関連性を算出する。さらに外部情報の情報源とそれを起動していたアプリケーションの情報をアノテーションに付与する。
【０３１９】
このとき、各職種の注目度マップ毎にアノテーションの種類を変えてもよい。これは、例えば、医師（放射線科医、外科医など）がより多く注目していた点に医者マークを付与したり、技師のみが注目していた部分には技師マークを付与したりすることができる。また、副クライアントで外部情報を参照していた場合、外部情報の情報源と、その外部情報を参照した際に利用したアプリケーションの情報をアノテーションにリンクとして付与することができる。
【０３２０】
次に、アノテーションの付与された画像をキー画像として抽出するなどしてドキュメントを作成し、例えば、制御部３０は、このドキュメントを、コンピュータ１００に接続された表示部１０５に表示する（ステップＳ０５４）。
【０３２１】
制御部３０は、このドキュメントを、メールやＴＣＰ通信、ＣＤへの書き込み等をすることによって任意の場所に任意の形式で保存又は共有する（ステップＳ０５５）。このとき、職種毎に異なるドキュメントを作成し、各職種に送付する。
【０３２２】
この処理の各ステップにおける詳細は、図５において示した処理と同様に行うことができる。また、医用カンファレンス終了後において、コンピュータ１００及び／又は一般端末３００の履歴情報に基づいて、医用画像における注目位置を特定することもできる。この処理は、図５において示した処理に、図２０において示した処理を適宜組み合わせることによって行うことができる。
【０３２３】
この場合、カンファレンスデータベース２００又は一般端末３００には、医用画像に対する注目度の追跡結果及び参照者の属性が保管されている。処理部２０は、医用情報データベース４００から医用画像及び医療情報と、カンファレンスデータベースから医用画像に対する注目度の追跡結果及び参照者の属性とを取得する。さらに処理部２０は、図２０において示した処理と同様にして医用画像における注目位置を特定する。
【０３２４】
〈実施例２〉
実施例２は、例えば、この実施形態の図２０において示した処理に沿って、医用ミーティングであるＭＤＴミーティング開催中に大型表示部５００ａに表示された医用画像の注目位置を特定する。この場合においては、１つの表示部に表示された医用画像を複数のＭＤＴミーティング参加者が参照する。
【０３２５】
図２１はＭＤＴミーティングにおける、主クライアント１００Ｂと副クライアント３００Ａ及び３００Ｂとを示した図である。この場合、主クライアント１００Ｂはデスクトップコンピュータ、副クライアント３００Ａ及び３００Ｂは持ち運び可能な携帯情報端末である。両端末は無線で相互に通信が可能に構成されている。副クライアント３００ＡはＭＤＴメンバーＰＡ、副クライアント３００ＢはＭＤＴメンバーＰＢが操作している。
【０３２６】
図２１に示すように、通路９００を介して出入り可能な２つの会議室８００Ａと８００Ｂとがある。
【０３２７】
会議室８００Ａにおいては主クライアント１００Ｂが設置されており、主クライアント１００Ｂに接続された表示部２０１Ｃには、医用画像が表示され、ＭＤＴミーティングが開催されている。
【０３２８】
ＭＤＴメンバーＰＡは会議室８００Ａの内部におり副クライアント３００Ａを操作している。このような、アクティブな（動作中の）副クライアント３００Ａが会議室８００Ａ内部にいることで、その操作者であるＭＤＴメンバーＰＡはＭＤＴミーティングの参加者と見なされ主クライアント１１０は副クライアント３００Ａとの同期を開始する。
【０３２９】
一方、会議室８００Ａとは別室、例えば、会議室８００Ｂの内部にいるＭＤＴメンバーＰＢは、会議室８００Ｂの内部において副クライアント３００Ｂを操作してもＭＤＴメンバーＰＢはＭＤＴミーティングの参加者と見なされない。つまり、主クライアント１００Ｂは副クライアント３００Ｂとの同期を行わない。これらのことは、図２０において示した処理のステップＳ０４１及びステップＳ０４２に対応する。
【０３３０】
図２２は、ＭＤＴミーティング開催中における、主クライアント１００Ｂに接続された表示部２０１Ｃに表示された表示画像２０２Ｂに対する複数の追跡者による参照点の追跡結果の軌跡２０７Ｂ１〜２０７Ｂ３をそれぞれ示した図である。
【０３３１】
また、図２３は、ＭＤＴミーティング開催中において、主クライアント１００Ｂに接続されている副クライアント３００Ａの表示部３０７Ａに表示された表示画像３０８Ａに対する参照点３５０Ａの追跡結果の軌跡３５７Ａを示した図である。
【０３３２】
また、図２４は、副クライアント３００Ａにおいて、外部情報３０８Ｂを参照した場合における、この外部情報３０８Ｂに対する参照点３５０Ｂの追跡結果の軌跡３５７Ｂを示す。また、図２５は、副クライアント３００Ａによる外部情報の履歴である外部情報の参照履歴の一例を示した表である。
【０３３３】
図２２に示すように、表示部２０１Ｃに表示された表示画像２０２Ｂに対しては、メンバーＡ〜Ｃの３人の参照者によって参照点が付与されている。表示部２０１Ｃは主クライアント１００Ｂに接続されている。
【０３３４】
参照位置取得部１０Ｂは、メンバーＡ〜Ｃの３人の参照者による参照点をそれぞれ追跡することで、その追跡結果である３本の軌跡２０７Ｂ１〜２０７Ｂ３を生成する。ここで、軌跡２０７Ｂ１は、例えば、ＭＤＴメンバーＰＡの視線に基いて検出された参照点の追跡結果である。また、軌跡２０７Ｂ２は、例えば、ＭＤＴメンバーＰＢの視線に基いて検出された参照点の追跡結果である。また、軌跡２０７Ｂ３は、例えば、ＭＤＴメンバーＰＣに基いて検出された参照点の追跡結果である。
【０３３５】
また、図２３に示すように、副クライアント３００Ｂに表示された表示画像３０８Ａに対しては、メンバーＢによって参照点３５０Ａが付与されている。この参照点３５０Ａを追跡することで、その追跡結果である軌跡３５７Ａが生成する。また、矩形の領域３６０は、画像の拡大操作が行われた領域である。
【０３３６】
また、図２４に示すように、副クライアント３００Ｂにおいては、メンバーＢによって外部情報３０８Ｂに対して参照点３５０Ｂが付与されている。外部情報は、例えば、インターネットブラウザ等の他のアプリケーションを用いてＷＥＢページや、院内の他のドキュメント等である。参照位置取得部１０Ｂは、この参照点３５０Ｂを追跡することで、その追跡結果である軌跡３５７Ｂが生成する。外部情報を参照した場合には、外部情報の参照履歴表に外部情報習得に関する情報を書き込む。
【０３３７】
この外部情報の参照履歴表は、例えば、図２５に示すように、使用したアプリケーション、外部情報の情報源、外部情報を参照した時刻等が含まれる。これらのことは、図２０において示した処理のステップＳ０４２〜Ｓ０４４に対応する。
【０３３８】
次に、主クライアント１００Ｂは、副クライアント３００ＢからＩＤ、パスワード等の認証情報を取得することで、操作者を識別し、その操作者の属性を取得する。また、例えば、副クライアント３００Ｂが、予め操作者と１対１で対応付けられている場合には、この対応付けによって操作者を特定し、医師・職員情報に基づいて操作者の属性を取得する。このことは、図２０に示した処理のステップＳ０４５に対応する。
【０３３９】
図２６は、医師・職員情報を構成する表の一例を示したものである。医師・職員情報は、例えば、主クライアント１００Ｂに備えられた記憶部等に予め記憶されているものである。図２６に示すように、医師・職員情報には、所有している副クライアント３００ＢのＭＡＣアドレスと操作者の属性である職種とが対応付けられて含まれている。
【０３４０】
次に、取得した注目度の追跡結果に基づいて注目度分布である注目度マップを生成する。注目度マップは、参照者の属性ごとに収集された追跡結果に基づいて算出する。
【０３４１】
図２７Ａ及びＢは、参照者の職種が病理医である場合における注目度マップの生成を示したものである。図２８Ａ及びＢは、参照者の職種が放射線科医である場合における注目度マップの生成を示したものである。
【０３４２】
図２７Ａに示すように、表示画像２０２Ｃに対して、参照位置取得部１０Ｂは、３つの参照点の追跡結果である軌跡２０７Ｃ１、２０７Ｃ２及び３５７Ｂを生成する。
【０３４３】
軌跡２０７Ｃ１は、例えば、主クライアントに接続された表示部に対する病理医ＰＤのジェスチャ動作に基づいた参照点の追跡結果である。また、軌跡２０７Ｃ２は、例えば、主クライアントに接続された表示部に対する病理医ＰＥの視線に基づいた参照点の追跡結果である。また、軌跡３５７Ｃ３は、例えば、副クライアントに接続された表示部に対する病理医ＰＦの視線に基づいた参照点の追跡結果である。
【０３４４】
この３つの軌跡から、前述した処理を行うことで、図２７Ｂに示すような表示画像２０２Ｃに対する病理医の注目度の分布である注目度マップ２０８Ｂが完成する。
【０３４５】
図２８Ａに示すように、表示画像２０２Ｃに対して、参照位置取得部１０Ｂは、同様にして参照点の追跡結果である軌跡２０７Ｇを生成する。軌跡２０７Ｇは、例えば、主クライアントに接続された表示部に対する放射線科医ＰＧの視線に基づいた参照点の追跡結果である。
【０３４６】
この軌跡から、前述した処理を行うことで、図２８Ｂに示すような表示画像２０２Ｃに対する放射線科医の注目度分布である注目度マップ２０８Ｃが完成する。これらのことは、図２０において示した処理のステップＳ０４６に対応する。
【０３４７】
図２９は、注目位置にアノテーション２１３と関連情報とが関連付けられた医用画像を示す。この場合、注目位置に関連付けられる情報は、外部情報も含む。このドキュメントは、注目度マップと、診断・治療部位特定情報とを関連付けることで生成することができる。診断・治療部位特定情報と注目度マップとの関連付けは、例えば、実施例１と同様に行うことができ、これ以降のその他の処理は実施例１と同様にして行うことができる。これらのことは、図２０において示した処理のステップＳ０４７〜Ｓ０４９に対応する。
【０３４８】
また、アノテーション２１３をクリック又はタップすると、例えば、付与された外部情報が読み込まれた状態で付与されたアプリケーションが起動する。これは、例えば、外部情報のＵＲＬが読み込まれた状態でブラウザが起動することなどが挙げられる。
【０３４９】
図３０Ａ及び３０Ｂは、注目位置にアノテーション２１３と関連情報とが関連付けられた医用画像を用いて閲覧者の属性ごとに作成されたドキュメント２５０Ａ及び２５０Ｂを示す。
【０３５０】
図３０Ａに示すドキュメント２５０Ｂは、病理医向けの議事録である。このドキュメント２５０Ｂは紙面向かって左側にテキストで示した議事録２５０Ｂ１が示されている。また、紙面向かって右側に注目画像２５０Ｂ２ａ及び２５０Ｂ２ｂが示されている。
【０３５１】
図３０Ｂに示すドキュメントは、放射線科医向けの議事録である。このドキュメント２５０Ｃは紙面向かって左側にテキストで示した議事録２５０Ｃ１が示されている。また、紙面向かって右側に少なくとも１つの注目画像２５０Ｃ２ａ〜ｃが示されている。
【０３５２】
議事録２５０Ｂ１と２５０Ｃ１とは、例えば、共通のものが用いられており、これらの議事録は、例えば、医療秘書等が作成する。注目画像２５０Ｂ２ａと注目画像２５０Ｂ２ｂとは、異なるものが用いられる。
【０３５３】
例えば、注目画像２５０Ｂ２ａ及び注目画像２５０Ｂ２ｂには、ミーティングに参加したＭＤＴメンバーのうち病理医が特に注目した部位等にアノテーションが付与される。
【０３５４】
また、例えば、注目画像２５０Ｃ２ａ〜２５０Ｃ２ｃには、このＭＤＴメンバーのうち放射線科医が特に注目した部位等にアノテーションが付与される。
【０３５５】
また、例えば、このＭＤＴメンバー全体において注目度が特に高かった部位、つまり、多くの参加者が注目していた領域には、当該注目部位に共通にアノテーションが付加される。これは、例えば、注目画像２５０Ｂ２ａ、２５０Ｃ２ａにおける同じ部位を注目位置として共通にアノテーションが付加される。これはＭＤＴメンバー全体が共有することを意味する。
【０３５６】
［医用情報処理システムの作用・効果］
次に、この実施形態の医用情報処理システム１の作用及び効果について説明する。
【０３５７】
この実施形態の医用情報処理システム１は、第１実施形態による医用情報処理システム１に、副クライアントである一般端末３００と、コンピュータ１００と一般端末３００とを同期させる同期部１２１を更に備える。医用情報処理システム１は、コンピュータ１００を主クライアントとして、これに接続される副クライアントである一般端末３００の表示部３０７に表示された医用画像に対する参照者の参照点を追跡する。
【０３５８】
この追跡結果に基いて特定した医用画像の位置にアノテーションを付加する。また、この追跡結果に基いて参照者の属性ごとに注目位置を特定し、この注目位置にアノテーションを付加する。アノテーションを付加した医用画像は必要に応じて表示部に表示、又は記憶手段等に記憶する。
【０３５９】
この実施形態の医用情報処理システム１によれば、医用カンファレンス等のミーティング開催時において、注目位置に対応する医用画像の位置にアノテーションを付加する。注目位置は、一般端末３００の表示部３０７に表示された医用画像に対する参照者の参照点を追跡し、この追跡結果に基いて特定される。一般端末３００は、コンピュータ１００を主クライアントとして、これに接続される副クライアントである。
【０３６０】
すなわち、医用カンファレンス等のミーティング開催時において、医用画像に対する参照者の参照点をそれぞれ追跡するので、第１実施形態と同様な利点を有する。それとともに、副クライアントに表示される医用画像に対する参照者の参照点をそれぞれ追跡する。これにより、医用画像に対する注目度の追跡結果をより多く取得できる。その結果、医用カンファレンスにおいて参照した医用画像の注目位置を更に精度よく特定することができる。
【０３６１】
加えて、副クライアントの情報等から副クライアントの操作者の属性を取得し、この属性ごとに注目位置を特定するので、属性毎に共有する情報を変えることができる。
【０３６２】
これにより、例えば、放射線科医がミーティング中に学会の検査レポートに関するエビデンス情報を参照していた場合、ＭＤＴミーティングに参加している他の放射線科医、病理医等に情報を共有することができる。
【０３６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０３６４】
また、この実施形態の医用情報処理システム１は、単体の装置で構成されたものであってもよいし、複数の装置が組み合わされて構成されたものであってもよい。この場合の装置とは、例えば、コンピュータ１００のことをいう。
【０３６５】
また、この実施形態においては、医用カンファレンス等において参照された医用画像の所定の位置において、その位置における注目度の高さと医療情報とが関連付けられて算出された注目度を保存する医用情報処理システムについて説明した。しかしながら、医用用途に限定することは意図していない。
【０３６６】
つまり、会議中心者と一般参加者とで行われるあらゆるミーティングにおいて参照された画像に、注目度を関連付けて保存する医用情報処理システムであってもよい。注目度は、その画像に対応する情報の位置において、その位置における注目度の高さと医療情報とが関連付けられて算出される。
【０３６７】
この場合、情報処理システムは、記憶手段と、表示手段と、参照位置収集手段と、算出手段と、出力手段とを有する。記憶手段は、画像を予め記憶している。表示手段は、画像における複数の参照者の参照位置を収集する。参照位置収集手段は、画像における複数の参照者の参照位置を収集する。算出手段は、参照位置収集手段で収集された参照位置に基づいて、複数の参照者の参照位置を統合した注目位置情報を求める。出力手段は、注目位置情報を出力する。
【符号の説明】
【０３６８】
１      医用情報処理システム
１０    取得部
１０Ａ  画像取得部
１０Ｂ  参照位置取得部
１０Ｃ  属性情報取得部
２０    処理部
２０Ａ  参照点合成部
２０Ｂ  注目度分布生成部
２０Ｃ  注目位置特定部
２０Ｄ  アノテーション付与部
３０    制御部
４０    操作部
５０    医療情報取得部
７０    記憶部
１００  コンピュータ
２００  カンファレンスデータベース
３００  一般端末
４００  医用情報データベース
４００Ａ  医用画像データベース
４００Ｂ  読影レポートデータベース
４００Ｃ  電子カルテデータベース
５００  大型表示装置
５００ａ  大型表示部
５１０  表示制御部
６００  位置検出手段
６００Ａ  録画手段
６００Ｂ  録音手段
６００Ｃ  光検出手段
６００Ｄ  変位検出手段
７００  サーバ
【図１】
2015118448.tif 000003
【図２】
2015118448.tif 000004
【図３】
2015118448.tif 000005
【図４】
2015118448.tif 000006
【図５】
2015118448.tif 000007
【図６】
2015118448.tif 000008
【図７】
2015118448.tif 000009
【図８】
2015118448.tif 000010
【図９】
2015118448.tif 000011
【図１０】
2015118448.tif 000012
【図１１】
2015118448.tif 000013
【図１２】
2015118448.tif 000014
【図１３】
2015118448.tif 000015
【図１４】
2015118448.tif 000016
【図１５】
2015118448.tif 000017
【図１６】
2015118448.tif 000018
【図１７】
2015118448.tif 000019
【図１８】
2015118448.tif 000020
【図１９】
2015118448.tif 000021
【図２０】
2015118448.tif 000022
【図２１】
2015118448.tif 000023
【図２２】
2015118448.tif 000024
【図２３】
2015118448.tif 000025
【図２４】
2015118448.tif 000026
【図２５】
2015118448.tif 000027
【図２６】
2015118448.tif 000028
【図２７Ａ】
2015118448.tif 000029
【図２７Ｂ】
2015118448.tif 000030
【図２８Ａ】
2015118448.tif 000031
【図２８Ｂ】
2015118448.tif 000032
【図２９】
2015118448.tif 000033
【図３０Ａ】
2015118448.tif 000034
【図３０Ｂ】
2015118448.tif 000035